(57)【要約】【課題】短時間で浴室の暖房が可能な浴室空調システムを提供する。【解決手段】浴室空調システムである浴室暖房システム１Ａは、温水によるミストを噴出するミスト発生装置２と、浴室１０１の暖房及び換気等を行う浴室暖房換気乾燥装置（浴室空調装置）３と、ミスト発生装置２等に温水を供給するヒートポンプ給湯システム４を備える。浴室の暖房時は、ヒートポンプ給湯システム４から供給された温水でミスト発生装置２によりミストを噴出すると共に、浴室暖房換気乾燥装置３で温風による浴室１０１の暖房を行って、浴室１０１を短時間で中温高湿のミストサウナ状態とする。【選択図】        図１
2006322694.tif 000002
【特許請求の範囲】
【請求項１】
温水または水の供給を受け、ミストを生成するミストノズルを有する湯水噴出装置と、
大気と冷媒との間の熱交換及び前記冷媒と水との間の熱交換で温水を生成し、生成した温水を前記湯水噴出装置と少なくとも浴室に供給するヒートポンプ給湯装置と、
運転モードに応じて送風または温風を吹き出す浴室空調装置と、
前記湯水噴出装置によるミストの噴出と前記浴室空調装置の空調運転を連動させるミストモードを実行する制御手段と
を備えたことを特徴とする浴室空調システム。
【請求項２】
前記ヒートポンプ給湯装置は、前記湯水噴出装置に供給する温水の給湯圧と温度を制御する温圧制御装置を備えた
ことを特徴とする請求項１記載の浴室空調システム。
【請求項３】
前記制御手段は、前記ヒートポンプ給湯装置から供給される温水の給湯圧を前記温圧制御装置で制御して、前記湯水噴出装置で噴出されるミストの噴出量を変化させる
ことを特徴とする請求項２記載の浴室空調システム。
【請求項４】
前記制御手段は、前記湯水噴出装置で噴出されるミストの噴出量を、前記浴室の温度に応じて変化させる
ことを特徴とする請求項３記載の浴室空調システム。
【請求項５】
前記制御手段は、前記ミストモードとして、ミストの噴出量を第１噴出量として前記湯水噴出装置でミストを噴出すると共に、前記浴室に吹き出す風量を第１風量として前記浴室空調装置で温風または送風を吹き出す第１ミストモードと、
設定情報に応じて噴出量を変化させながら、前記湯水噴出装置でミストを噴出すると共に、前記浴室に吹き出す風量を前記第１風量より弱い第２風量として前記浴室空調装置で温風または送風を吹き出す第２ミストモードを切り替えて実行する
ことを特徴とする１，２，３または４記載の浴室空調システム。
【請求項６】
前記制御手段は、所定の状態になることを検出して、前記第１ミストモードを前記第２ミストモードに切り替える
ことを特徴とする請求項５記載の浴室空調システム。
【請求項７】
前記浴室空調装置は、前記浴室内の空気を吸い込み、屋外へ排気する換気手段を備え、
前記制御手段は、前記第２ミストモードの後に、前記浴室空調装置で前記浴室の換気を行うミスト後換気モードを実行する
ことを特徴とする請求項５または６記載の浴室空調システム。
【請求項８】
前記ヒートポンプ給湯装置は、温水を貯水するタンクから前記浴室への給湯経路を分岐して、温水を前記湯水噴出装置に供給するミスト給湯配管を備え、
前記温圧制御装置は、前記ミスト給湯配管に供給された温水を加圧する加圧装置と、
前記ミスト給湯配管に供給された温水を加熱する加熱装置と、
前記加圧装置で加圧されると共に、前記加熱装置で加熱された温水と水を混合させ、かつ混合比が切り替えられる混合弁とを備えた
ことを特徴とする請求項１〜７にいずれか記載の浴室空調システム。
【請求項９】
前記ヒートポンプ給湯装置は、温水を貯水するタンクから前記浴室への給湯経路と独立して前記タンクから温水を取水するミスト取水配管を備え、
前記温圧制御装置は、前記ミスト取水配管から供給される温水を加圧する加圧装置と、
前記加圧装置で加圧された温水と水を混合させ、かつ混合比が切り替えられる混合弁とを備えた
ことを特徴とする請求項１〜７にいずれか記載の浴室空調システム。
【請求項１０】
前記湯水噴出装置は、
駆動手段に回転駆動され、空気が軸方向から流入して軸方向に流出される羽根車を有し、前記ミストノズルから噴出されたミストを、回転駆動される前記羽根車に衝突させて細霧化する拡散手段と、
前記羽根車が回転駆動されることで発生する空気の流れに沿った前記羽根車の軸方向に形成され、細霧化されたミストを吹き出す吹出口と
を備えたことを特徴とする請求項１〜９にいずれか記載の浴室空調システム。
【請求項１１】
前記湯水噴出装置は、
前記ミストノズルから噴出されたミストを通過させ、通過するミストを細霧化する網状部材を備えた
ことを特徴とする請求項１〜９にいずれか記載の浴室空調システム。
【発明の詳細な説明】
【技術分野】
【０００１】
本発明は、温水または水によるミストを噴出する湯水噴出装置と、浴室の暖房及び換気等の空調機能を有する浴室空調装置を備えた浴室空調システムに関する。詳しくは、大気と冷媒との間の熱交換及び冷媒と水との間の熱交換で温水を生成するヒートポンプ給湯装置を備え、ヒートポンプ給湯装置で生成された温水を湯水噴出装置に供給できるようにしたものである。
【背景技術】
【０００２】
従来より、温水を霧状のミストとして浴室内に噴出し、浴室の暖房を行うミストサウナ装置等と称される装置が提案されている。（例えば、特許文献１参照）。
【０００３】
ミストサウナ装置は、単数もしくは複数のミストノズルを浴室の壁面等に備え、給湯器から供給された温水をミストにして浴室内に噴出する構成である。
【０００４】
また、ミストサウナ装置に温水を供給する給湯器としては、ガスの燃焼を利用して温水を生成するいわゆるガス湯沸かし器が利用されている（例えば、特許文献２参照）。
【０００５】
【特許文献１】特公平６−５９３０１号公報
【特許文献２】特開平６−１０１８５９号公報
【発明の開示】
【発明が解決しようとする課題】
【０００６】
しかし、従来のミストサウナ装置では、ミストの噴出のみで浴室を暖房しているので、浴室の温度を入浴に適した温度まで上昇させるために必要な熱量としては不十分で、暖房に時間がかかるという問題があった。
【０００７】
また、ミストサウナ装置への温水の供給源としてガス湯沸かし器を利用しているため、エネルギー効率が低く、ランニングコストが高いという問題があった。
【０００８】
本発明は、このような課題を解決するためになされたもので、短時間で浴室の暖房が可能で、エネルギー効率が高い浴室空調システムを提供することを目的とする。
【課題を解決するための手段】
【０００９】
上述した課題を解決するため、本発明に係る浴室空調システムは、温水または水の供給を受け、ミストを生成するミストノズルを有する湯水噴出装置と、大気と冷媒との間の熱交換及び冷媒と水との間の熱交換で温水を生成し、生成した温水を湯水噴出装置と少なくとも浴室に供給するヒートポンプ給湯装置と、運転モードに応じて送風または温風を吹き出す浴室空調装置と、湯水噴出装置によるミストの噴出と浴室空調装置の空調運転を連動させるミストモードを実行する制御手段とを備えたことを特徴とする。
【００１０】
本発明に係る浴室空調システムでは、ヒートポンプ給湯装置で生成した温水を湯水噴出装置に供給し、湯水噴出装置により温水のミストを噴出すると共に、浴室空調装置により温風または送風を吹き出して、浴室を暖房する。
【発明の効果】
【００１１】
本発明の浴室空調システムによれば、湯水噴出装置で温水のミストを噴出することによる浴室の暖房と、浴室空調装置で温風または送風を吹き出すことによる浴室の暖房等の空調を連動させることで、浴室を短時間で中温高湿のミストサウナ状態にすることができる。
【００１２】
また、湯水噴出装置へ供給される温水の供給源として、大気中の熱を吸収して温水を生成するヒートポンプ給湯装置を利用することで、エネルギー効率が高く、ランニングコストを抑えることができる。
【００１３】
更に、ヒートポンプ給湯装置から湯水噴出装置へ供給される温水の給湯圧と温度を制御する温圧制御装置を備えることとすれば、ヒートポンプ給湯装置から浴室等に給湯される温水の温度や給湯圧によらず、ミストの噴出量や温度を制御できる。
【発明を実施するための最良の形態】
【００１４】
以下、図面を参照して本発明の浴室空調システムとしての浴室暖房システムの実施の形態について説明する。
【００１５】
＜第１の実施の形態の浴室暖房システムの全体構成例＞
図１は第１の実施の形態の浴室暖房システム１Ａの一例を示す構成図である。第１の実施の形態の浴室暖房システム１Ａは、霧状にした温水（ミスト）を浴室１０１内に噴出するミスト発生装置２と、浴室１０１の暖房及び換気等を行う浴室空調装置としての浴室暖房換気乾燥装置３と、ミスト発生装置２や浴室１０１等に温水を給湯するヒートポンプ給湯システム４を備える。
【００１６】
浴室暖房システム１Ａは、ミスト発生装置２の湯源としてヒートポンプ給湯システム４を利用する。また、浴室暖房換気乾燥装置３の熱源として、浴室暖房換気乾燥装置３に内蔵した電気ヒータを利用する。そして、ミスト発生装置２の運転と浴室暖房換気乾燥装置３の運転を連動させることで、浴室１０１内を短時間で中温高湿のミストサウナ状態にする。
【００１７】
浴室暖房システム１Ａは、例えば浴室暖房換気乾燥装置３に備えた主制御部５に制御され、主制御部５は、浴室１０１に隣接する洗面脱衣所１０２に設置された主操作部６及び浴室１０１に設置されたミスト操作部７の操作を受けて所定の制御を実行する。
【００１８】
主操作部６は、例えば主制御部５と電気ケーブル６ａで有線接続されたリモートコントロール装置であり、ミスト操作部７は、主制御部５と赤外線通信で無線接続されたリモートコントロール装置であって、一例として、洗面脱衣所１０２で暖房運転の開始及び停止等の操作が行えると共に、浴室１０１でミストの噴出状態の切り替え等の操作が行える構成である。
【００１９】
＜第１の実施の形態のミスト発生装置の構成例＞
図２，図３はミスト発生装置２の第１の実施の形態を示し、次に、第１の実施の形態のミスト発生装置２Ａの構成について説明する。ここで、図２（ａ）はミスト発生装置２Ａを下面側から見た平面図、図２（ｂ）は図２（ａ）のＡ−Ａ線断面図である。また、図３（ａ）は図２（ａ）のＢ−Ｂ線断面図、図３（ｂ）は図２（ａ）のＣ−Ｃ線断面図である。
【００２０】
第１の実施の形態のミスト発生装置２Ａは湯水噴出装置の一例で、ミストを生成するミストノズル１１Ａと、ミストノズル１１Ａに対する温水または水の供給を切り替える供給制御弁装置１２と、ミストノズル１１Ａで生成したミストを細霧化して吹き出す軸流ファン部１３と、軸流ファン部１３により細霧化されたミストの噴出を行うための風路を形成する本体ケース１４を備える。
【００２１】
軸流ファン部１３は拡散手段の一例で、ファンモータ１５と、ファンモータ１５に回転駆動されるプロペラファン１６を備える。ファンモータ１５は駆動手段の一例で、軸１５ａが縦向きに配置される。
【００２２】
プロペラファン１６は羽根車の一例で、複数枚の羽根１６ａが所定の取り付け角で取り付けられる。プロペラファン１６は、本実施の形態では例えば４枚の羽根１６ａを備え、隣接する各羽根１６ａの端部が軸方向には所定の間隔を有し、回転方向には重なり部１６ｂを有する形態である。これにより、プロペラファン１６は、軸方向から見て各羽根１６ａの間には隙間が形成されない形態である。
【００２３】
軸流ファン部１３は、プロペラファン１６がファンモータ１５の軸１５ａに取り付けられ、プロペラファン１６がファンモータ１５によって回転駆動されることで、ミストを含む空気がプロペラファン１６に対して軸方向から流入し、軸方向へ流出する。
【００２４】
ミストノズル１１Ａは、温水または水等の供給を受け、霧状にして噴出する。ミストノズル１１Ａは、軸流ファン部１３のプロペラファン１６が回転駆動されることにより発生する空気の流れる方向に対して上流側で、プロペラファン１６の羽根１６ａの回転軌跡に沿った位置に配置され、プロペラファン１６の羽根１６ａに向けてミストを噴出する。
【００２５】
ミストノズル１１Ａは、本実施の形態では例えばプロペラファン１６の羽根１６ａの枚数と同じ個数が、プロペラファン１６の羽根１６ａの回転軌跡に沿って等間隔で配置される。これにより、ミストノズル１１Ａは、プロペラファン１６の各羽根１６ａの間隔と同間隔で円周上に並んで配置される。
【００２６】
本体ケース１４は、例えば直方体形状の外形を有し、内部が円筒形状の風路形成壁部１７で仕切られている。風路形成壁部１７は、上端が本体ケース１４の天井部分の下面と繋がる。また、風路形成壁部１７は、外周面の一部が本体ケース１４の対向する一方の２側面と繋がる。更に、風路形成壁部１７は、外周面の一部が本体ケース１４の対向する他方の２側面と２本ずつの仕切り壁部１７ａを介して繋がる。これにより、風路形成壁部１７は、本体ケース１４の対向する一方の２側面と、４枚の仕切り壁部１７ａによって外周面が支持される。
【００２７】
なお、仕切り壁部１７ａの間にリブ１７ｂを設けて、更に風路形成壁部１７の外周面を支持する構成としても良い。
【００２８】
本体ケース１４は、風路形成壁部１７の内側に第１の吹出風路１８を備えると共に、風路形成壁部１７の外側に第２の吹出風路１９と吸込風路２０を備える。第１の吹出風路１８は、外周が風路形成壁部１７で仕切られた円筒形状の空間として形成される。また、第２の吹出風路１９は、風路形成壁部１７の周囲で、例えば第１の吹出風路１８を挟んで対向する２箇所に形成される。更に、吸込風路２０は、風路形成壁部１７の周囲で、第２の吹出風路１９と仕切り壁部１７ａで仕切られた例えば４箇所に形成される。
【００２９】
本体ケース１４は、第１の吹出風路１８に軸流ファン部１３が取り付けられる。すなわち、本体ケース１４は、第１の吹出風路１８の天井部分の上面に軸流ファン部１３のファンモータ１５が取り付けられる。ファンモータ１５の軸１５ａは、第１の吹出風路１８の天井部分を貫通して垂直方向に突出し、軸１５ａにプロペラファン１６が取り付けられる。第１の吹出風路１８は、プロペラファン１６の直径より大きな直径を有しており、プロペラファン１６は、第１の吹出風路１８内で回転自在な構成である。
【００３０】
また、本体ケース１４は、第１の吹出風路１８の天井部分の下面で、ファンモータ１５の軸１５ａの周囲にノズル取付部２１を備え、ノズル取付部２１に上述した所定の配置でミストノズル１１Ａが取り付けられる。
【００３１】
なお、第１の吹出風路１８側からファンモータ１５側への漏水を防ぐため、プロペラファン１６とノズル取付部２１の間の軸１５ａに遮蔽羽根２２を備える。遮蔽羽根２２は、例えば下面が波形状となっている円板で、プロペラファン１６と共に回転する。
【００３２】
遮蔽羽根２２は、ノズル取付部２１から突出するファンモータ１５の軸１５ａの根元の部分を覆うことで、プロペラファン１６に当たって上方へと拡散したミスト等をはね返して、ファンモータ１５側への漏水を防ぐ。また、遮蔽羽根２２の下面を波形状とすることで、ミストを拡散して細霧化を促進する。
【００３３】
各吸込風路２０と第１の吹出風路１８は、風路形成壁部１７に形成された吸込風路連絡口２３を介して連通する。吸込風路連絡口２３は、プロペラファン１６の取付位置より高い風路形成壁部１７の上部を貫通して形成される。
【００３４】
ここで、吸込風路２０から吸込風路連絡口２３を通って第１の吹出風路１８に空気が流れる際に、乱流が発生しないように、例えば吸込風路２０の上部を曲面で構成する。このため、例えば、本体ケース１４の上部の４箇所の角部を、径の大きな曲面で構成しても良い。
【００３５】
また、第１の吹出風路１８と第２の吹出風路１９は、風路形成壁部１７に形成された吹出風路連絡口２４を介して連通する。吹出風路連絡口２４は、プロペラファン１６の取付位置と同等の高さ付近の風路形成壁部１７を貫通して形成され、網状板部２４ａが取り付けられる。網状板部２４ａは、例えば目の細かい金網で構成され、吹出風路連絡口２４を通るミストを細霧化する。
【００３６】
本体ケース１４は、第１の吹出風路１８の下部が開口して第１の吹出口１８ａが形成されると共に、各第２の吹出風路１９の下部が開口して第２の吹出口１９ａが形成される。更に、各吸込風路２０の下部が開口して吸込口２０ａが形成される。
【００３７】
これにより、各吸込口２０ａから各吸込風路２０を通り、吸込風路連絡口２３を介して第１の吹出風路１８と繋がって第１の吹出口１８ａへ至る風路が形成される。また、第１の吹出風路１８から吹出風路連絡口２４を介して第２の吹出風路１９と繋がって、第２の吹出口１９ａへ至る風路が形成される。
【００３８】
本体ケース１４は、風路形成壁部１７の下部にドレン部材であるドレンパン２５を備える。ドレンパン２５は、風路形成壁部１７の形状に合わせたリング形状で、風路形成壁部１７の下端が入る溝を有して、風路形成壁部１７の内周面及び外周面を伝わって落ちる水滴を受ける。
【００３９】
また、ドレンパン２５は、円周方向の１箇所にドレンホース口２５ａを備え、風路形成壁部１７から受けた水をドレンホース口２５ａから排水できる構成である。このため、ドレンパン２５は、ドレンホース口２５ａ側が下がるように傾斜した状態となっている。なお、ドレンパン２５を風路形成壁部１７等に対して着脱自在な構成として、清掃が行えるようにしても良い。
【００４０】
本体ケース１４は、下部にフロントパネル２６を備える。フロントパネル２６は、図１に示す浴室暖房換気乾燥装置３のフロントパネルと一体に構成され、本体ケース１４は、フロントパネル２６を固定するフック部１４ａ等を備えて、フロントパネル２６が着脱自在に取り付けられる。
【００４１】
フロントパネル２６は、第１の吹出口１８ａ及び第２の吹出口１９ａと連通し、細霧化されたミストを吹き出す吹出グリル２６ａを備える。また、フロントパネル２６は、吸込口２０ａと連通し、空気を吸い込む吸込グリル２６ｂを備える。
【００４２】
なお、ミスト発生装置２Ａでは、例えば第２の吹出口１９ａに補助ミストノズル２７を備え、運転開始段階等で、予備的にミストを吹き出すことができるようにしても良い。補助ミストノズル２７としては、例えば、一方の第２の吹出口１９ａには、ミストの水滴径が細かい補助ミストノズル２７ａを備え、他方の第２の吹出口１９ａには、ミストの水滴径が粗い補助ミストノズル２７ｂを備えて、水滴径の異なるミストを必要に応じて吹き出す構成としても良い。
【００４３】
図４は供給制御弁装置１２の一例を示す構成図である。供給制御弁装置１２は、温水または水の供給の有無を切り替える供給切替電磁弁２８と、温水または水の供給先を切り替える三方切替電磁弁２９と、ミストを噴出するミストノズル１１Ａを切り替える個別切替電磁弁３０を備える。
【００４４】
供給切替電磁弁２８は、図１に示すヒートポンプ給湯器４に接続される供給配管３１ａに備えられ、ヒートポンプ給湯器４からの温水または水の供給の有無を切り替える。三方切替電磁弁２９は流路切替弁の一例で、電磁弁２８の下流側に備えられ、温水または水の供給先をミストノズル１１Ａか排出部であるドレン配管３１ｂに切り替える。
【００４５】
本例のミスト発生装置２Ａは、ミストノズル１１Ａを４個備えており、三方切替電磁弁２９の下流で配管を分岐して、全ミストノズル１１Ａに温水または水が供給される構成である。個別切替電磁弁３０は、個々のミストノズル１１Ａに対応して備えられ、温水または水を供給するミストノズル１１Ａを切り替えることで、ミストを噴出するミストノズル１１Ａを切り替える。
【００４６】
また、供給配管３１ａに水温検出手段として水温検出センサ３１ｃが備えられ、供給配管３１ａを流れる温水の温度が検出される。
【００４７】
ドレン配管３１ｂは、図２及び図３に示すドレンパン２５のドレンホース口２５ａに接続される図示しないドレン配管と接続され、図１に示す浴室１０１が設置される図示しない建物の例えば屋外に排水を行う。
【００４８】
＜第１の実施の形態のミスト発生装置のミスト噴出動作例＞
次に、図２〜図４を参照して第１の実施の形態のミスト発生装置２Ａにおけるミストの噴出動作の一例について説明する。なお、ミストノズル１１Ａには、温水または水が供給可能であるが、以下の例では、温水が供給されるものとする。
【００４９】
ミスト発生装置２Ａは、図４に示す三方切替電磁弁２９により温水の供給先をドレン配管３１ｂに切り替え、供給切替電磁弁２８を開いて、温水の供給時には、後述するように温水が出るまでドレン配管３１ｂより排水を行い、水温検出センサ３１ｃが所定の温度を検知した後、三方切替電磁弁２９により温水の供給先をミストノズル１１Ａに切り替え、個別切替電磁弁３０を開くと、ミストノズル１１Ａに温水が供給される。
【００５０】
また、ファンモータ１５が回転駆動されると、軸流ファン部１３のプロペラファン１６が図２に矢印ａで示す方向に回転する。なお、本例では、プロペラファン１６の径は一例として１５０ｍｍ、ファンモータ１５の回転数は一例として３０００ｒｐｍに設定されている。
【００５１】
ここで、ミスト発生装置２Ａでは、ミストの噴出を開始する際には、ファンモータ１５の回転駆動を開始した後に、ミストノズル１１Ａへの温水の供給を開始して、プロペラファン１６が所定の速度で回転した後に、ミストノズル１１Ａからのミストの噴出が開始されるようにしている。
【００５２】
プロペラファン１６が矢印ａ方向に回転すると、第１の吹出風路１８と吸込風路連絡口２３によって連通した吸込風路２０から、フロントパネル２６の吸込グリル２６ｂを介して浴室１０１内の空気が吸い込まれる。
【００５３】
フロントパネル２６の吸込グリル２６ｂから吸い込まれた空気は、吸込風路２０から吸込風路連絡口２３を通って第１の吹出風路１８に吸い込まれ、第１の吹出風路１８を通ってフロントパネル２６の吹出グリル２６ａから浴室１０１内へと吹き出す。
【００５４】
プロペラファン１６の回転を開始した後、ミストノズル１１Ａに温水の供給を開始すると、ミストノズル１１Ａからミストが噴出される。ここで、ミストノズル１１Ａから噴出されるミストの温度等は、ヒートポンプ給湯システム４からミストノズル１１Ａに供給される温水の温度によって制御される。なお、ヒートポンプ給湯システム４の詳細については後述する。
【００５５】
ミストノズル１１Ａから噴出されたミストは、プロペラファン１６の羽根１６ａに衝突して拡散され、水滴径が更に細かくなって細霧化される。例えば、水滴径は３〜５ミクロン程度となる。
【００５６】
プロペラファン１６の羽根１６ａに衝突して細霧化されたミストは、プロペラファン１６が回転することで発生した空気の流れによって、プロペラファン１６の軸方向に形成された第１の吹出口１８ａから、フロントパネル２６の吹出グリル２６ａを介して浴室１０１内に吹き出される。
【００５７】
これにより、フロントパネル２６の吹出グリル２６ａからは、浴室１０１の温度に応じた空気に、ヒートポンプ給湯システム４から供給される温水の温度に応じたミストが混合されて吹き出されることで、浴室１０１は加湿されながら暖められる。
【００５８】
ミスト発生装置２Ａは、ミストノズル１１Ａを複数個、本例では４個備えており、個別切替電磁弁３０により温水を供給するミストノズル１１Ａの数が切り替えられる。
【００５９】
これにより、温水の供給の有無で、ミストを噴出するミストノズル１１Ａの数が切り替えられ、ミストを噴出するミストノズル１１Ａの数を増やすことで、フロントパネル２６の吹出グリル２６ａから吹き出すミストの噴出量が増加する。
【００６０】
また、ミストを噴出するミストノズル１１Ａの数を減らすことで、フロントパネル２６の吹出グリル２６ａから吹き出すミストの噴出量が減少する。
【００６１】
プロペラファン１６の羽根１６ａに衝突したミストの一部は、プロペラファン１６の放射方向に拡散する。放射方向に拡散したミストは、プロペラファン１６の取付位置に合わせて風路形成壁部１７の外周の一部に形成された吹出風路連絡口２４から第２の吹出風路１９に入る。吹出風路連絡口２４は、目の細かい金網で構成された網状板部２４ａを備えているので、吹出風路連絡口２４の網状板部２４ａを通るミストは、水滴径が更に細かくなって細霧化される。そして、吹出風路連絡口２４の網状板部２４ａを通って細霧化されたミストは、第２の吹出口１９ａからフロントパネル２６の吹出グリル２６ａを介して浴室１０１内に吹き出される。
【００６２】
なお、プロペラファン１６の羽根１６ａに衝突し、放射方向に拡散したミストの一部は、風路形成壁部１７の内周面に付着して、風路形成壁部１７の内周面を伝わって落下する。また、吹出風路連絡口２４を通ったミストの一部は、風路形成壁部１７の外周面に付着して、風路形成壁部１７の外周面を伝わって落下する。
【００６３】
風路形成壁部１７の下部には、ドレンパン２５を備えており、風路形成壁部１７の内周面及び外周面を伝って落ちる水滴をドレンパン２５で回収し、ドレンホース口２５ａから排水する。なお、ドレンホース口２５ａは、図示しないドレンホースを介して建物外等に繋がっており、ドレンパン２５で回収した水は例えば建物外に排水される。
【００６４】
ここで、風路形成壁部１７には、プロペラファン１６の羽根１６ａに衝突して放射方向に拡散したミストが強く当たる。本例では、風路形成壁部１７は、本体ケース１４の対向する一方の２側面と、４枚の仕切り壁部１７ａによって外周面が支持される。これにより、水圧による風路形成壁部１７の変形を防ぐと共に、衝突音を低く抑える。
【００６５】
また、プロペラファン１６に衝突して上方へと拡散したミストは、遮蔽羽根２２ではね返されることで、ファンモータ１５側への漏水を防ぐ。また、遮蔽羽根２２の下面を波形状とすることで、プロペラファン１６と共に回転駆動される遮蔽羽根２２にミストが衝突する際に拡散され、細霧化が促進される。
【００６６】
ミスト発生装置２Ａは、ミストの噴出を停止する際には、ミストノズル１１Ａからのミストの噴出を停止した後、所定時間経過後にファンモータ１５の回転駆動を停止する。
【００６７】
また、ミストの噴出の停止後は、供給切替電磁弁２８と個別切替電磁弁３０が閉じて、三方切替電磁弁２９に接続されたドレン配管３１ｂより排水を行うことで、滞溜水を残さないようにし、カルキや不純物の付着や水垂れを防止することができる。
【００６８】
ここで、ミストノズル１１Ａからのミストの噴出を停止してから、ファンモータ１５の回転駆動を停止するまでの時間は、例えば、プロペラファン１６等に付着した水滴が飛ばされて乾燥するまでの時間等を考慮して設定される。これにより、ミスト発生装置２Ａの運転停止後に、フロントパネル２６の吹出グリル２６ａから、水滴が落下することを防ぐ。
【００６９】
ミスト発生装置２Ａでは、上述したように、プロペラファン１６が回転を開始してから、ミストノズル１１Ａでミストを噴出するまでにタイムラグがある。このため、プロペラファン１６が回転を開始すると、ミストノズル１１Ａからのミストの噴出を開始するまでの間等に、補助ミストノズル２７ａ及び補助ミストノズル２７ｂからミストを噴出することとしても良い。
【００７０】
補助ミストノズル２７ａ，２７ｂは、ミストの吹き出し方向を浴室１０１の洗い場方向としておけば、プロペラファン１６の回転開始と同時に、浴室１０１の洗い場を暖めることができる。
【００７１】
なお、補助ミストノズル２７ａ，２７ｂからのミストの噴出を停止するタイミングは、ミストノズル１１Ａでミストの噴出を開始した時、または、ミストノズル１１Ａでミストの噴出を開始してから、所定時間経過した後でも良い。更に、補助ミストノズル２７ａ，２７ｂからのミストの噴出を停止するタイミングは時間ではなく、図示しない検出手段で浴室１０１内の温度や湿度を検出して、所定の温度と湿度に達した時点で停止するようにしても良い。
【００７２】
＜第１の実施の形態の浴室暖房換気乾燥装置の構成例＞
図５，図６は浴室暖房換気乾燥装置３の第１の実施の形態を示し、次に、第１の実施の形態の浴室暖房換気乾燥装置３Ａの構成について説明する。ここで、図５は浴室暖房換気乾燥装置３Ａの内部構成を示す断面図、図６は浴室暖房換気乾燥装置３Ａを下面側から見た平面図である。
【００７３】
第１の実施の形態の浴室暖房換気乾燥装置３Ａは、ファンユニット３２と熱源としてのヒータ部３３を備える。浴室暖房換気乾燥装置３Ａは、本体ケース３４にファンユニット３２が取り付けられる。ファンユニット３２は、回転駆動される多翼の羽根車（ファン）３５と、羽根車３５を回転駆動するファンモータ３６と、ファンモータ３６が取り付けられると共に、風路を形成するファンケース３７を備える。
【００７４】
ファンユニット３２は、羽根車３５が縦向きに配置され、ファンケース３７は、羽根車３５の軸方向に沿った下面が開口して吸込口３８が形成される。また、ファンケース３７は羽根車３５の接線方向に沿った一の側面が開口して、風路切換部３９を備える。
【００７５】
風路切換部３９は風路を切り換えるダンパ４０を備える。ダンパ４０は後述するダンパモータの駆動力がカム４０ａを介して伝達され、軸４０ｂを支点に回転して開閉動作を行う。ファンケース３７は、風路切換部３９と連通して下面に吹出口４１を備えると共に、風路切換部３９と連通して一の側面に排気口４２を備え、ダンパ４０の位置によって、吸込口３８から吹出口４１へ連通した風路か、排気口４２へ連通した風路が形成される。
【００７６】
図５（ａ）では、ダンパ４０を全閉した状態を示す。ダンパ４０を全閉にすると、排気口４２への風路が遮断され、吸込口３８から吹出口４１へ連通した循環風路４３ａが形成される。このため、ダンパ４０が全閉となる位置をダンパ４０の循環位置と称す。
【００７７】
図５（ｂ）では、ダンパ４０を全開にした状態を示す。ダンパ４０を全開にすると、吹出口４１への風路が遮断され、吸込口３８から排気口４２へ連通した換気風路４３ｂが形成される。このため、ダンパ４０が全開となる位置をダンパ４０の換気位置と称す。
【００７８】
図５（ｃ）では、ダンパ４０を循環位置と換気位置の中間位置にした状態を示す。ダンパ４０を循環位置と換気位置の中間位置にすると、吸気口３８から吹出口４１へ連通した循環風路４３ａと、吸気口３８から排気口４２へ連通した換気風路４３ｂの双方が形成される。この中間位置を循環換気位置と称す。
【００７９】
ファンケース３７は、ヒータ部３３の上流側にイオン発生器４４を備える。イオン発生器４４はイオン発生手段の一例で、ダンパ４０を循環位置あるいは循環換気位置とすることで形成される循環風路４３ａにイオン放出面が露出する。
【００８０】
イオン発生器４４は、正イオンと負イオンの両方あるいは負イオンを発生する。正イオンと負イオンの発生の原理は、誘電体が介在するように対向させた一対の電極間に家庭用交流電源等から取った交流電圧を昇圧して印加することにより、コロナ放電を起こし、空気中の酸素ないしは水分が電離によりエネルギーを受けてイオン化し、Ｈ+（Ｈ2Ｏ）m（ｍは任意の自然数）と、Ｏ2-（Ｈ2Ｏ）n（ｎは任意の自然数）が主体のイオンを放出するものである。
【００８１】
これらＨ+（Ｈ2Ｏ）m及びＯ2-（Ｈ2Ｏ）nは、浮遊菌の表面に付着し、化学反応して活性種であるＨ2Ｏ2または・ＯＨを生成する。Ｈ2Ｏ2または・ＯＨは、極めて強力な活性を示すため、これらにより、空気中の浮遊細菌を取り囲んで不活化することができる。ここで、・ＯＨは活性種の１種であり、ラジカルのＯＨを示している。
【００８２】
これにより、ファンユニット３２の運転と連動させて略同数の正イオンと負イオンを発生させ、略同数の正イオンと負イオンを含む空気を送風することで、循環する空気に含まれる浮遊細菌と図１に示す浴室１０１の空気中の浮遊細菌の双方を不活化して、カビの発生等を抑えることができる。
【００８３】
ヒータ部３３は電気ヒータで構成される加熱手段の一例で、上述した吹出口４１に備えられる。図５（ａ）に示すように、ダンパ４０の位置を循環位置にし、ファンモータ３６により羽根車３５を回転駆動すると、空気が吸込口３８から吸い込まれ、循環風路４３ａを通り吹出口４１から吹き出す。ヒータ部３３に通電すると、ヒータ部３３が加熱することで吹出口４１を通る空気が温められ、温風が吹出口４１から吹き出す。ここで、ヒータ部３３としては例えばＰＴＣヒータを備える。
【００８４】
本体ケース３４は、図６に示すように、下面が開口しファンユニット３２の吸込口３８と吹出口４１が露出する。そして、本体ケース３４は、下面開口部にフロントパネル２６が取り付けられる。
【００８５】
フロントパネル２６は、図２，図３で説明したミスト発生装置２Ａのフロントパネル２６と一体に構成され、本体ケース３４に着脱できるように構成される。フロントパネル２６は、ファンユニット３２の吸込口３８と対向して吸込グリル４５を備えると共に、ファンユニット３２の吹出口４１と対向して吹出グリル４６を備える。また、フロントパネル２６は、吸込グリル４５の裏側にフィルタ４７が交換可能に取り付けられる。
【００８６】
更に、本体ケース３４は、ファンユニット３２の排気口４２と連通する排気ダクト接続部４８を一の側面に備える。浴室暖房換気乾燥装置３Ａは、排気ダクト接続部４８に図１に示す排気ダクト８が接続される。
【００８７】
浴室暖房換気乾燥装置３Ａは、ファンモータ３６が回転駆動されると、ファンユニット３２の羽根車３５が回転する。羽根車３５が回転駆動されると、フロントパネル２６の吸込グリル４５を介してファンユニット３２の吸込口３８から浴室１０１の空気が吸い込まれる。
【００８８】
ダンパ４０の位置が図５（ａ）に示す循環位置であると、ファンユニット３２において吸込口３８から吹出口４１への循環風路４３ａが形成されるので、吸込口３８から吸い込まれた空気は、循環風路４３ａを通り吹出口４１からフロントパネル２６の吹出グリル４６を介して浴室１０１内に吹き出される。
【００８９】
ヒータ部３３は循環風路４３ａの吹出口４１に配置されるので、ヒータ部３３が駆動されることで、循環風路４３ａを通る空気が温められて、吹出グリル４６ａから吹き出す。
【００９０】
これにより、ダンパ４０を循環位置として、ファンモータ３６が回転駆動されると、ヒータ部３３を駆動した場合は、浴室１０１内の空気を循環させながら、浴室１０１内に温風が吹き出される。
【００９１】
ダンパ４０の位置が図５（ｂ）に示す換気位置であると、ファンユニット３２において吸込口３８から排気口４２への換気風路４３ｂが形成されるので、吸込口３８から吸い込まれた空気は、換気風路４３ｂ及び排気口４２を通り、更に、図１に示す排気ダクト８を通って排気グリル８ａから屋外へ排気される。
【００９２】
これにより、ダンパ４０を換気位置として、ファンモータ３６が回転駆動されると、浴室１０１内の湯気や湿気が排気される。
【００９３】
ダンパ４０の位置が図５（ｃ）に示す循環換気位置であると、ファンユニット３２において吸込口３８から吹出口４１への循環風路４３ａと、吸込口３８から排気口４２への換気風路４３ｂの双方が形成されるので、吸込口３８から吸い込まれた空気は、一部は循環風路４３ａを通り吹出口４１からフロントパネル２６の吹出グリル４６を介して浴室１０１内に吹き出される。
【００９４】
また、吸込口３８から吸い込まれた空気の一部は、換気風路４３ｂ及び排気口４２を通り、更に、図１に示す排気ダクト８を通って排気グリル８ａから屋外へ排気される。
【００９５】
これにより、ダンパ４０を循環換気位置として、ファンモータ３６が回転駆動されると、ヒータ部３３が非駆動の場合は、浴室１０１内の空気を循環させながら、浴室１０１内の湯気や湿気が排気される。
【００９６】
また、ヒータ部３３を駆動した場合は、浴室１０１内の空気を循環させて浴室１０１内に温風を吹き出しながら、浴室１０１内の湯気や湿気が排気される。
【００９７】
＜第１の実施の形態のヒートポンプ給湯システムの構成例＞
図７はヒートポンプ給湯システム４の第１の実施の形態を示し、次に、第１の実施の形態のヒートポンプ給湯システム４Ａの構成について説明する。ここで、図７はヒートポンプ給湯システム４Ａの概要及び接続形態を示す構成図である。
【００９８】
第１の実施の形態のヒートポンプ給湯システム４Ａは、図１に示すミスト発生装置２（２Ａ）や、浴室１０１等に温水を供給するヒートポンプ給湯器５１Ａと、ミスト発生装置２に供給する温水の温度及び給湯圧を制御する温圧制御装置５２Ａを備える。
【００９９】
ヒートポンプ給湯器５１Ａは、大気と冷媒との間の熱交換及び冷媒と水との間の熱交換で温水を生成するヒートポンプユニット５３と、ヒートポンプユニット５３で生成された温水を貯水する貯湯タンクユニット５４を備える。
【０１００】
ヒートポンプユニット５３は、大気と冷媒との間で熱交換を行って、冷媒の温度を上昇させる空気熱交換器５５と、冷媒と水との間で熱交換を行って、水の温度を上昇させる水熱交換器５６を備える。
【０１０１】
また、ヒートポンプユニット５３は、空気熱交換器５５に大気を供給するファン５５ａと、空気熱交換器５５と水熱交換器５６との間を接続して、空気熱交換器５５と水熱交換器５６との間で冷媒を循環させる冷媒配管５７を備える。
【０１０２】
更に、ヒートポンプユニット５３は、空気熱交換器５５と水熱交換器５６の間で空気熱交換器５５の下流側に、空気熱交換器５５で熱交換されて冷媒配管５７を流れる冷媒を圧縮して、温度を更に上昇させる圧縮機５８を備える。また、ヒートポンプユニット５３は、空気熱交換器５５と水熱交換器５６の間で水熱交換器５６の下流側に、水熱交換器５６で熱交換されて冷媒配管５７を流れる冷媒を膨張させて、温度を低下させる膨張弁５９を備える。
【０１０３】
貯湯タンクユニット５４は、ヒートポンプユニット５３で生成された温水を貯水するタンク６０を備える。タンク６０は、下部側に水が供給されると共に、上部側に温水が供給されて、下部側に比べて上部側の温度が高くなる層化した状態で温水を貯水する。
【０１０４】
ヒートポンプユニット５３と貯湯タンクユニット５４は、水熱交換器５６とタンク６０の間が温水配管６１ａ及び冷水配管６１ｂで接続され、冷水配管６１ｂにポンプ６１ｃを備える。
【０１０５】
温水配管６１ａは、水熱交換器５６の流出側と、タンク６０の上部側に設けられる流入口６０ａとの間を接続する。また、冷水配管６１ｂは、水熱交換器５６の流入側と、タンク６０の下部側に設けられる流出口６０ｂの間を接続する。
【０１０６】
ポンプ６１ｃは、冷水配管６１ｂを介してタンク６０の流出口６０ｂから水を吸い込んで水熱交換器５６に供給し、水熱交換器５６を通過して生成された温水を、温水配管６１ａを介して流入口６０ａからタンク６０に供給する。
【０１０７】
また、貯湯タンクユニット５４は、タンク６０に貯水された温水を取水する取水配管６２と、タンク６０に給水を行う給水配管６３が、タンク６０に接続される。
【０１０８】
取水配管６２は、流入口６０ａと独立してタンク６０の上部に設けられる高温部取水口６０ｃと接続される高温部取水配管６２ａと、高温部取水口６０ｃより下側に設けられる中温部取水口６０ｄに接続される中温部取水配管６２ｂを備える。
【０１０９】
また、取水配管６２は、高温部取水配管６２ａと中温部取水配管６２ｂの合流箇所に切換弁６２ｃを備え、タンク６０における取水元が、高温部取水口６０ｃか中温部取水口６０ｄに切り替えられる。
【０１１０】
給水配管６３は、流出口６０ｂと独立してタンク６０の下部に設けられる給水口６０ｅと接続されると共に、タンク６０の手前で分岐した分岐給水配管６３ａを備える。
【０１１１】
更に、貯湯タンクユニット５４は、取水配管６２から供給される温水と、分岐給水配管６３ａから供給される水を混合させる給湯混合弁６４を備える。給湯混合弁６４は、取水配管６２と分岐給水配管６３ａの合流箇所に備えられ、取水配管６２から供給される温水と、分岐給水配管６３ａから供給される水の混合比を切り替えて、給湯配管６５から供給される温水の温度を調整する。
【０１１２】
給湯配管６５は、図１に示す浴室１０１のシャワー１０１ａや浴槽１０１ｂ、洗面脱衣所１０２の蛇口１０２ａ及び台所１０３の図示しない蛇口等と接続され、温水を供給する。
【０１１３】
また、浴室１０１に接続される給湯配管６５からミスト給湯配管６５ａを分岐させ、ミスト給湯配管６５ａに温圧制御装置５２Ａが接続される。
【０１１４】
温圧制御装置５２Ａは、ヒートポンプ給湯器５１Ａから供給される温水の給湯圧を上昇させる加圧装置６６と、給湯圧を上昇させた温水の温度を上昇させる加熱装置６７を備える。
【０１１５】
加圧装置６６は、ミスト給湯配管６５ａに備えられる例えば加圧ポンプで、送水量を増加させる等によって給湯圧を上昇させる。加熱装置６７は、例えばミスト給湯配管６５ａの周囲に配置される図示しない配管に温水を循環させて、ミスト給湯配管６５ａを流れる温水を加熱する温水循環型の加熱装置である。
【０１１６】
また、温圧制御装置５２Ａは、ミスト給湯配管６５ａから供給される温水と、給水配管６３から分岐したミスト給水配管６３ｂから供給される水を混合させる混合弁６８を備える。混合弁６８は、加熱装置６７の下流側のミスト給湯配管６５ａと、ミスト給水配管６３ｂの合流箇所に備えられ、加熱装置６７で温度を上昇させた温水と、ミスト給水配管６３ｂから供給される水の混合比を切り替える。
【０１１７】
図１等に示すミスト発生装置２は、混合弁６８の下流側のミスト給湯配管６５ａに接続される。例えば、図４に示す供給配管３１ａに、混合弁６８の下流側のミスト給湯配管６５ａが接続される。
【０１１８】
これにより、加熱装置６７で温度を上昇させた温水と、ミスト給水配管６３ｂから供給される水の混合比が混合弁６８で切り替えられることで、ミスト発生装置２（２Ａ）に供給される温水の温度が調整される。
【０１１９】
＜第１の実施の形態のヒートポンプ給湯システムの動作例＞
次に、ヒートポンプ給湯システム４Ａの動作について説明する。ヒートポンプ給湯システム４Ａは、貯湯タンクユニット５４のタンク６０に、給水配管６３から水が供給される。タンク６０に供給された水は、冷水配管６１ｂによりヒートポンプユニット５３の水熱交換器５６に供給される。
【０１２０】
ヒートポンプユニット５３では、ファン５５ａにより空気熱交換器５５に大気が供給され、冷媒配管５７を流れる冷媒との間で熱交換が行われ、冷媒の温度が上昇する。空気熱交換器５５で熱交換が行われた冷媒は、圧縮機５８で圧縮されることで、温度が更に上昇する。
【０１２１】
そして、圧縮機５８で圧縮されて温度を上昇させた冷媒は、水熱交換器５６に供給される。これにより、水熱交換器５６においては、大気との熱交換及び圧縮により温度を上昇させた冷媒と、貯湯タンクユニット５４から供給された水との間で熱交換が行われ、温水が生成される。
【０１２２】
水熱交換器５６で熱交換された冷媒は、膨張弁５９で膨張させて温度を低下させ、再度空気熱交換器５５に供給される。
【０１２３】
また、水熱交換器５６で熱交換されて生成された温水は、温水配管６１ａによりタンク６０に戻される。これにより、タンク６０は、上部側が温度が高く、下部側が温度の低い層化した状態で温水と水が貯水される。
【０１２４】
タンク６０に貯水された温水は、取水配管６２により取水される。ここで、供給する温水の温度が高い場合は、切替弁６２ｃにより高温部取水配管６２ａから温水を取水し、供給する温水の温度が低い場合は、中温部取水配管６２ｂから温水を取水する。
【０１２５】
取水配管６２により取水された温水は、分岐給水配管６３ｂから供給される水と給湯混合弁６４で混合される。給湯混合弁６４で温水と水の混合比を切り替えることで、給湯配管６５から供給される温水の温度が調整される。そして、給湯配管６５から供給される温水は、浴室１０１、洗面脱衣所１０２及び台所１０３に分配される。
【０１２６】
一方、給湯配管６５から供給される温水は、温圧制御装置５２Ａで温度と給湯圧が制御されて、ミスト給湯配管６５ａによりミスト発生装置２（２Ａ）に供給される。すなわち、温圧制御装置５２Ａは、ミスト給湯配管６５ａに供給された温水の給湯圧を加圧装置６６で上昇させる。これにより、ヒートポンプ給湯器５１Ａから給湯される温水を、ミスト発生装置２（２Ａ）でのミストの発生に適した給湯圧に上昇させる。
【０１２７】
また、ミスト給湯配管６５ａに供給され、加圧装置６６で給湯圧を上昇させた温水を、加熱装置６７で加熱して温度を上昇させる。ヒートポンプ給湯器５１Ａから給湯される温水は、浴室１０１等で設定されている給湯温度に制限されるが、温圧制御装置５２Ａの加熱装置６７で温度を上昇させることで、ヒートポンプ給湯器５１Ａ側での給湯温度の制限によらず、ミスト発生装置２（２Ａ）に供給する温水の温度が制御される。
【０１２８】
例えば、ヒートポンプ給湯器５１Ａから給湯される温水の給湯温度より、ミスト発生装置２（２Ａ）に供給する温水の温度を上げることができる。また、ミスト給湯配管６５ａから給湯される温圧が制御された温水と、ミスト給水配管６３ｂから供給される水を混合弁６８で混合させることで、温水と水の混合比を切り替えて、ミスト発生装置２（２Ａ）に給湯する温水の温度を制御できる。例えば、水のみを供給することも可能である。
【０１２９】
＜第１の実施の形態の浴室暖房システムの制御機能例＞
図８は第１の実施の形態の浴室暖房システム１Ａの制御系の一例を示す機能ブロック図であり、次に、上述したミスト発生装置２Ａ、浴室暖房換気乾燥装置３Ａ及びヒートポンプ給湯システム４Ａを備えた浴室暖房システム１Ａの制御系の構成について説明する。
【０１３０】
浴室暖房システム１Ａは、例えば浴室暖房換気乾燥装置３Ａに備えた主制御部５により制御される。主制御部５は制御手段の一例で、図５，図６で説明した浴室暖房換気乾燥装置３Ａのヒータ部３３と、ファンモータ３６と、イオン発生器４４と、ダンパ４０を駆動するダンパモータ４０ｂ等が接続される。
【０１３１】
また、主制御部５は、図２，図３で説明したミスト発生装置２Ａのファンモータ１５と、図４で説明した供給制御弁装置１２の供給切換電磁弁２８と三方切換電磁弁２９と個別切換電磁弁３０と、水温検出センサ３１ｃ等が接続される。
【０１３２】
更に、主制御部５は、図７で説明したヒートポンプ給湯システム４Ａの温圧制御装置５２Ａの加圧装置６６と加熱装置６７と混合弁６８等が接続される。
【０１３３】
なお、浴室１０１の温度を検出するため、例えば浴室暖房換気乾燥装置３Ａのフロントパネル２６の内側等の、例えばファンケース３２の吸込口３８に温度検出センサ６９が取り付けられており、温度検出センサ６９が主制御部５に接続される。
【０１３４】
また、主制御部５は、主操作部６とミスト操作部７が接続される。なお、図１で説明したように、主操作部６は例えば有線で接続され、ミスト操作部７は無線で接続される。
【０１３５】
主制御部５は、図示しないＣＰＵやメモリ等を備え、主操作部６及びミスト操作部７での操作と、予め記憶されているプログラムに従って、ミスト発生装置２Ａと、浴室暖房換気乾燥装置３Ａと、ヒートポンプ給湯システム４Ａの温圧制御装置５２Ａを制御する。
【０１３６】
すなわち、主制御部５は、主操作部６及びミスト操作部７での所定の操作に従って、浴室暖房換気乾燥装置３Ａとミスト発生装置２Ａ及びヒートポンプ給湯システム４Ａの温圧制御装置５２Ａを制御し、浴室暖房換気乾燥装置３Ａとミスト発生装置２Ａを連動させて、図１に示す浴室１０１のミスト暖房を行うミストモードを実行する。
【０１３７】
また、主制御部５は、浴室暖房換気乾燥装置３Ａ単体の動作として、主操作部６での所定の操作に従って浴室暖房換気乾燥装置３Ａを制御し、浴室１０１の暖房を行う暖房モードと、浴室１０１の換気を行う換気モードと、浴室１０１内に干した衣類等の乾燥を行う乾燥モードと、入浴者等に対して送風を行う涼風モードを選択的に実行する。
【０１３８】
図９は主操作部６の一例を示す構成図である。主操作部６は主操作手段の一例で、表示部７１と、各種操作ボタン等を備える。主操作部６は、操作ボタンとして、浴室暖房換気乾燥装置３Ａとミスト発生装置２Ａを連動させて浴室１０１のミスト暖房を行うミストモードを選択するミストモードボタン７２を備える。
【０１３９】
また、浴室暖房換気乾燥装置３Ａ単体の操作として、暖房モードを選択する暖房モードボタン７３と、換気モードを選択する換気モードボタン７４と、乾燥モードを選択する乾燥モードボタン７５と、涼風モードを選択する涼風モードボタン７６を備える。更に、各種設定を行う設定ボタン７７を備える。なお、選択された運転モードを視認させるため、各ボタンに対応してランプ７８を備えても良い。
【０１４０】
図１０はミスト操作部７の一例を示す構成図である。ミスト操作部７は副操作手段の一例で、ミストモードの運転及び運転停止を選択する運転選択ボタン７９と、ミストモード時の浴室１０１内の温度（加温状態）を設定する温度設定ボタン８０を備える。
【０１４１】
本例では、ミストの噴出量等を切り替えて温度設定を行うため、温度設定ボタン８０として、例えばミストの噴出量を示すような表示とした「強」ボタン８０ａと「中」ボタン８０ｂと「弱」ボタン８０ｃを備える。
【０１４２】
＜第１の実施の形態の浴室暖房システムの動作例＞
次に、上述したミスト発生装置２Ａと、浴室暖房換気乾燥装置３Ａと、ヒートポンプ給湯システム４Ａを備えた第１の実施の形態の浴室暖房システム１Ａの動作について説明する。
【０１４３】
第１の実施の形態の浴室暖房システム１Ａでは、ミスト発生装置２Ａでミストを噴出しながら、浴室暖房換気乾燥装置３Ａで浴室１０１の暖房を行って、浴室１０１を中温高湿のミストサウナ状態とするミストモードが実行される。
【０１４４】
ミストモードでは、主制御部５は、入浴前に予め浴室１０１を暖房しておく第１ミストモードとしての入浴前ミストモードと、入浴中に浴室１０１の暖房を行う第２ミストモードとしての入浴中ミストモードを切り替えて実行する。また、入浴者等の操作でミストモードを終了するときは、浴室１０１の換気を行うミスト後換気モードを実行する。
【０１４５】
図１１はミストモード実行時のミスト発生装置２Ａの各部の動作の組み合わせのパターンを示す動作テーブルである。
【０１４６】
図１１に示す動作テーブルでは、ミストモード実行時に切り替えられる運転モード毎に、ミスト発生装置２Ａのファンモータ１５の駆動の有無（ＯＮとＯＦＦ）が設定される。なお、本例では、ミストの噴出中はファンモータ１５は常時駆動されている。
【０１４７】
また、図１１に示す動作テーブルでは、ミストを噴出するミストノズル１１Ａの数が、ミストモード実行時に切り替えられる運転モード毎及び入浴者等の選択に応じて切り替え可能に設定される。
【０１４８】
ここで、ミスト発生装置２Ａの動作パターンとして図１１に記載のものは一例である。
【０１４９】
図１２はミストモード実行時の浴室暖房換気乾燥装置３Ａの各部の動作の組み合わせのパターンを示す動作テーブルである。
【０１５０】
図１２に示す動作テーブルでは、ミストモード実行時に切り替えられる運転モード毎に、浴室暖房換気乾燥装置３Ａのファンモータ３６の回転数が、例えば「強」と「標準」等に切り替えられるように設定される。また、ダンパ４０の位置が運転モード毎に設定されている。更に、ヒータ部３３の駆動の有無が運転モード毎に設定されている。
【０１５１】
ここで、ミストモード実行時の浴室暖房換気乾燥装置３Ａの動作パターンとして図１２に記載のものは一例である。
【０１５２】
＜第１の実施の形態のミストモードの動作例＞
図１３は第１の実施の形態の浴室暖房システム１Ａで実行されるミストモードの第１の実施の形態を示すフローチャートであり、次に、第１の実施の形態のミストモード実行時の処理の流れについて説明する。
【０１５３】
ステップＳＡ１：入浴者等は、入浴前に浴室１０１を暖房するため、洗面脱衣所１０２に設置されている主操作部６のミストモードボタン７２を押して、ミストモードのスイッチをオンとする。
【０１５４】
ステップＳＡ２ａ：主操作部６のミストモードボタン７２が押されると、主制御部５は、ミストモードが選択されたと判断して、ミストモードとして、まず、入浴前ミストモードを実行する。
【０１５５】
主制御部５は、入浴前ミストモードでは、図１１の動作テーブルに従ってミスト発生装置２Ａを制御し、上述したようにファンモータ１５を回転駆動してプロペラファン１６を回転させると共に、第１噴出量である入浴前噴出量が得られるように、供給制御弁装置１２を制御して全てのミストノズル１１Ａからミストを噴出させる。
【０１５６】
これにより、ミスト発生装置２Ａは、フロントパネル２６の吹出グリル２６ａからプロペラファン１６で細霧化されたミストを浴室１０１内に向けて噴出する。
【０１５７】
ミスト発生装置２Ａで噴出されるミストは、図４で説明したヒートポンプ給湯ユニット４Ａで生成された温水を利用している。ヒートポンプ給湯システム４Ａでは、ミスト発生装置２Ａに供給する温水は、上述したように温圧制御装置５２Ａで温度と給湯圧が制御される。
【０１５８】
これにより、ヒートポンプ給湯器５１Ａから供給される温水は、ヒートポンプ給湯器５１Ａでの給湯圧の制御によらず、ミストノズル１１Ａでのミストの発生に適した給湯圧に加圧される。
【０１５９】
また、ヒートポンプ給湯器５１Ａから供給される温水は、浴室１０１のシャワー等で設定されている給湯温度の制限によらず、浴室１０１をミストサウナ状態とするのに適した温度（例えば、６０℃程度）に加熱される。従って、ミストノズル１１Ａからは、所望の温度と噴出量でミストが噴出する。
【０１６０】
そして、入浴前ミストモードでは、全てのミストノズル１１Ａ、本例では４個のミストノズル１１Ａの全てからミストを噴出しているので、ミストの噴出量が最大となる。
【０１６１】
ステップＳＡ２ｂ：主制御部５は、入浴前ミストモードでは、図１２の動作テーブルに従って浴室暖房換気乾燥装置３Ａを制御し、第１風量である入浴前暖房風量としてファン風量が「強」となるようにファンモータ３６を制御すると共に、ヒータ部３３に通電を行う。また、ダンパ４０を循環位置とする。
【０１６２】
これにより、浴室暖房換気乾燥装置３Ａは、浴室１０１内の空気を循環させながら、フロントパネル２６の吹出グリル４６から浴室１０１内に温風を吹き出す。浴室暖房換気乾燥装置３Ａでは、ヒータ部３３としてＰＴＣヒータ等の電気ヒータを利用しているので、通電を開始してから、ヒータ部３３が所定の温度に加熱するまでの時間が短く、温風を吹き出すまでの立ち上がり時間は短い。
【０１６３】
そして、入浴前ミストモードでは、ファンユニット３２におけるファン風量を「強」としているので、温風の吹出量が増加する。
【０１６４】
従って、入浴前ミストモードでは、ミスト発生装置２Ａで噴出量を最大としてミストを噴出し、浴室暖房換気乾燥装置３Ａでファン風量を「強」として温風を吹き出すことで、短時間で浴室１０１を中温高湿（温度４０〜４５℃、湿度１００％）のミストサウナ状態とすることができる。
【０１６５】
ステップＳＡ３：主制御部５は、入浴前ミストモードを開始すると、所定の状態になることを検出するため、ファンユニット３２の吸込口３８に備えた温度検出センサ６９で浴室１０１の温度を検出する。浴室１０１の温度が所定の入浴前暖房温度の上限値に到達していない場合は、主制御部５は、入浴前ミストモードを続行する。
【０１６６】
ステップＳＡ４ａ：主制御部５は、温度検出センサ６９の出力から浴室１０１の温度が入浴前暖房温度の上限値に到達したと判断すると、運転モードを入浴前ミストモードから入浴中ミストモードに切り替える。
【０１６７】
すなわち、主制御部５は、入浴中ミストモードでは、図１１の動作テーブルに従ってミスト発生装置２Ａを制御し、設定情報として、ミスト操作部７の温度設定ボタン８０で選択された設定温度に応じたミストの噴出量に切り替える。
【０１６８】
ここで、主制御部５は、前回のミストモード実行時にミスト操作部７で選択された設定温度の情報を記憶しており、運転モードを入浴中ミストモードに切り替えると、前回運転時の設定温度情報に従ってミストを噴出するミストノズル１１Ａの数を切り替える。
【０１６９】
例えば、前回運転時にミスト操作部７で温度設定ボタン８０の中の「強」ボタン８０ａが押されていると、主制御部５は、図１１の動作テーブルに従って、全てのミストノズル１１Ａからのミストの噴出を続ける。
【０１７０】
また、前回運転時にミスト操作部７で「中」ボタン８０ｂが押されていると、主制御部５は供給制御弁装置１２の個別切替電磁弁３０を制御して、ミストを噴出するミストノズル１１Ａの数を本例では「３」個に切り替える。
【０１７１】
更に、前回運転時にミスト操作部７で「弱」ボタン８０ｃが押されていると、主制御部５は供給制御弁装置１２の個別切替電磁弁３０を制御して、ミストを噴出するミストノズル１１Ａの数を本例では「２」個に切り替える。
【０１７２】
なお、初回の運転時において入浴中ミストモードでミストを噴出するミストノズル１１Ａの数の初期値は、本例では「４」個に設定されている。
【０１７３】
ステップＳＡ４ｂ：主制御部５は、入浴中ミストモードでは、図１２の動作テーブルに従って浴室暖房換気乾燥装置３Ａを制御し、第２風量である入浴中暖房風量としてファン風量が「標準」となるようにファンモータ３６を制御すると共に、ヒータ部３３への通電を続行する。また、ダンパ４０は循環位置を保持する。
【０１７４】
これにより、浴室暖房換気乾燥装置３Ａは、浴室１０１内の空気を循環させながら、入浴前ミストモード時より少ないファン風量でフロントパネル２６の吹出グリル４６から温風を吹き出す。
【０１７５】
従って、入浴中ミストモードでは、ミスト発生装置２Ａで噴出するミストの噴出量を、ミスト操作部７の温度設定ボタン８０での選択に応じて切り替え、浴室暖房換気乾燥装置３Ａでファン風量を「標準」として温風を吹き出すことで、温風が直接入浴者に当たらないようにすると共に、浴室１０１内の温度上昇を抑えながら、浴室１０１内をミストサウナ状態に維持することができる。
【０１７６】
ステップＳＡ５：主制御部５は、運転モードを入浴中ミストモードに切り替えると、温度検出センサ６９で浴室１０１の温度を検出する。主制御部５は、ミスト操作部７の温度設定ボタン８０で選択されるミストの噴出量に応じた設定温度毎に浴室１０１内の温度の上限値が設定され、浴室１０１の温度が選択された設定温度の上限値に到達していない場合は、入浴中ミストモードを続行する。
【０１７７】
ステップＳＡ６ａ：主制御部５は、温度センサ６９の出力から、浴室１０１の温度が選択されたミストの噴出量に応じた設定温度の上限値に到達したと判断すると、運転モードを入浴中ミストモードから入浴中ミスト出力低下モードに切り替える。
【０１７８】
すなわち、主制御部５は、入浴中ミスト出力低下モードでは、図１１の動作テーブルに従ってミスト発生装置２Ａを制御し、ミストを噴出するミストノズル１１Ａの数を減少させる。本例では、供給制御弁装置１２の個別切替電磁弁３０を制御して、ミストを噴出するミストノズル１１Ａの数を例えば「１」個に切り替える。
【０１７９】
ステップＳＡ６ｂ：主制御部５は、入浴中ミスト出力低下モードでは、図１２の動作テーブルに従って浴室暖房換気乾燥装置３Ａを制御し、ファンモータ３６を停止すると共に、ヒータ部３３への通電を停止して、浴室暖房換気乾燥装置３Ａの運転を停止する。
【０１８０】
ステップＳＡ７：主制御部５は、運転モードを入浴中ミスト出力低下モードに切り替えると、温度検出センサ６９で浴室１０１の温度を検出する。主制御部５は、ミスト操作部７の温度設定ボタン８０で選択されるミストの噴出量に応じた設定温度毎に浴室１０１内の温度の下限値が設定され、浴室１０１の温度が選択された設定温度の下限値に到達していない場合は、入浴中ミスト出力低下モードを続行する。
【０１８１】
また、主制御部５は、温度センサ６９の出力から、浴室１０１の温度が選択された設定温度の下限値に到達したと判断すると、上述したステップＳＡ４に戻り、運転モードを入浴中ミストモードに切り替える。
【０１８２】
すなわち、主制御部５は、ミスト操作部７の温度設定ボタン８０で選択されている設定温度に応じ、図１１の動作テーブルに従ってミストを噴出するミストノズル１１Ａの数を増加させると共に、図１２の動作テーブルに従って浴室暖房換気乾燥装置３Ａの運転を再開する。
【０１８３】
ステップＳＡ８：主制御部５は、入浴中ミストモードの実行中は、ミスト操作部７の出力を監視する。
【０１８４】
ステップＳＡ９：主制御部５は、ミスト操作部７の出力から温度設定ボタン８０が押されたと判断すると、図１１に示す動作テーブルに従ってミスト発生装置２Ａを制御して、ミスト操作部７の温度設定ボタン８０で選択された設定温度に応じてミストを噴出するミストノズル１１Ａの数を切り替える。なお、浴室暖房換気乾燥装置３Ａは、ファン風量が「標準」となるようにファンモータ３６が制御されると共に、ヒータ部３３への通電が続行される。
【０１８５】
次に、ミストモードを停止する場合の処理について説明する。ここで、ミストモードの停止は、主操作部６のミストモードボタン７２あるいはミスト操作部７の運転選択ボタン７９を押すことで実行される。
【０１８６】
ステップＳＡ１０ａ−１：入浴者は、主操作部６のミストモードボタン７２を押して、ミストモードのスイッチをオフとする。
【０１８７】
ステップＳＡ１０ａ−２：主制御部５は、主操作部６のミストモードボタン７２が押されると、供給制御弁装置１２を制御して全てのミストノズル１１Ａへの温水の供給を停止すると共に、ファンモータ１５の回転駆動を停止する。これにより、ミスト発生装置２Ａからのミストの噴出が停止する。
【０１８８】
ステップＳＡ１０ｂ−１：入浴者は、ミスト操作部７の運転選択ボタン７９を押して、ミストモードのスイッチをオフとする。
【０１８９】
ステップＳＡ１０ｂ−２：主制御部５は、ミスト操作部７の運転選択ボタン７９が押されると、供給制御弁装置１２を制御して全てのミストノズル１１Ａへの温水の供給を停止すると共に、ファンモータ１５の回転駆動を停止する。これにより、ミスト発生装置２Ａからのミストの噴出が停止する。
【０１９０】
ステップＳＡ１０ｂ−３：主制御部５は、ミスト操作部７の運転選択ボタン７９が押されてミスト発生装置２Ａを停止させると、予め設定されている暖房運転時間を計時する。暖房運転時間は、ミストの噴出を停止してから、運転モードをミスト後換気モードに切り替えるまでの時間である。
【０１９１】
入浴中ミストモードの実行中に、ミスト操作部７の運転選択ボタン７９が押された場合、入浴者はまだ浴室１０１に居ると考えられる。入浴者が浴室１０１に居る状態で、浴室暖房換気乾燥装置３Ａによる暖房を停止してミスト後換気モードを実行してしまうと、入浴者が寒さを感じる。このため、入浴中ミストモード実行中にミスト操作部７の運転選択ボタン７９が操作された場合は、暖房運転時間を設定して、浴室暖房換気乾燥装置３Ａの暖房モードでの運転を続行する。なお、暖房運転時間は、例えば３０分程度に設定される。
【０１９２】
ステップＳＡ１１：主制御部５は、主操作部６のミストボタン７２が押されてミスト発生装置２Ａを停止させると、図１２の動作テーブルに従って浴室暖房換気乾燥装置３Ａを制御して、浴室暖房換気乾燥装置３Ａの運転モードをミスト後換気モードに切り替える。
【０１９３】
また、主制御部５は、ミスト操作部７の運転選択ボタン７９が押されてミスト発生装置２Ａを停止させた後、所定の暖房運転時間が経過すると、図１２の動作テーブルに従って浴室暖房換気乾燥装置３Ａを制御して、浴室暖房換気乾燥装置３Ａの運転モードをミスト後換気モードに切り替える。
【０１９４】
すなわち、主制御部５は、ファン風量が「強」となるようにファンモータ３６を制御すると共に、ヒータ部３３の通電を停止する。また、ダンパ４０を循環換気位置とする。
【０１９５】
これにより、浴室暖房換気乾燥装置３Ａは、浴室１０１内の空気を循環させながら、浴室１０１内の空気を屋外に排気する。よって、ミストモードで中温高湿のミストサウナ状態となっている浴室１０１内の湿気を排気して、カビの発生等を防ぐ。
【０１９６】
次に、ミスト後換気モードを停止する場合の処理について説明する。ミスト後換気モードの停止は、予め設定されている換気運転時間が経過した後、自動的に行われる。また、主操作部６の換気モードボタン７４を押すことで実行されるようにしても良い。
【０１９７】
ステップＳＡ１２ａ：主制御部５は、浴室暖房換気乾燥装置３Ａの運転モードをミスト後換気モードに切り替えると、予め設定されている換気運転時間を計時する。
【０１９８】
ステップＳＡ１２ｂ：主制御部５は、浴室暖房換気乾燥装置３Ａの運転モードをミスト後換気モードに切り替えると、主操作部６の出力を監視して、換気モードボタン７４が押されたか否かを判断する。
【０１９９】
ステップＳＡ１３：主制御部５は、浴室暖房換気乾燥装置３Ａの運転モードをミスト後換気モードに切り替えた後、所定の換気運転時間が経過すると、ファンモータ３６を停止してミスト後換気モードを停止する。
【０２００】
また、主制御部５は、浴室暖房換気乾燥装置３Ａの運転モードをミスト後換気モードに切り替えた後、主操作部６の換気モードボタン７４が押されると、ファンモータ３６を停止してミスト後換気モードを停止する。
【０２０１】
＜第２の実施の形態のミストモードの動作例＞
図１４及び図１５は第１の実施の形態の浴室暖房システム１Ａで実行されるミストモードの第２の実施の形態を示すフローチャートであり、次に、第２の実施の形態のミストモード実行時の処理の流れについて説明する。
【０２０２】
ステップＳＢ１：入浴者等は、入浴前に浴室１０１を暖房するため、洗面脱衣所１０２に設置されている主操作部６のミストモードボタン７２を押して、ミストモードのスイッチをオンとする。
【０２０３】
ステップＳＢ２ａ：主操作部６のミストモードボタン７２が押されると、主制御部５は、ミストモードが選択されたと判断して、ミストモードとして、まず、入浴前ミストモードを実行する。
【０２０４】
主制御部５は、入浴前ミストモードでは、図４で説明したヒートポンプ給湯システム４Ａの温圧制御装置５２Ａを制御し、加圧装置６６を駆動してヒートポンプ給湯器５１Ａから供給される温水の給湯圧を上昇させる。また、加熱装置６７を駆動して、ヒートポンプ給湯器５１Ａから供給される温水の温度を上昇させる。更に、混合弁６８によりミスト給水配管６３ｂからの給水は停止し、ミスト給湯配管６５ａからの給湯を全開とする。
【０２０５】
また、主制御部５はミスト発生装置２Ａを制御し、上述したようにファンモータ１５を回転駆動してプロペラファン１６を回転させると共に、供給制御弁装置１２を制御して全てのミストノズル１１Ａからミストを噴出させる。
【０２０６】
これにより、ミスト発生装置２Ａは、フロントパネル２６の吹出グリル２６ａからプロペラファン１６で細霧化されたミストを浴室１０１内に向けて吹き出す。
【０２０７】
ミスト発生装置２Ａで噴出されるミストは、ヒートポンプ給湯ユニット４Ａで生成された温水を利用している。ヒートポンプ給湯システム４Ａでは、ミスト発生装置２Ａに供給する温水は、上述したように温圧制御装置５２Ａで温度と給湯圧が制御される。
【０２０８】
これにより、ヒートポンプ給湯器５１Ａから供給される温水は、ヒートポンプ給湯器５１Ａでの給湯圧の制御によらず、ミストノズル１１Ａでのミストの発生に適した給湯圧に加圧される。
【０２０９】
また、ヒートポンプ給湯器５１Ａから供給される温水は、浴室１０１のシャワー等で設定されている給湯温度の制限によらず、浴室１０１をミストサウナ状態とするのに適した温度（例えば、６０℃程度）に加熱される。
【０２１０】
従って、ミストノズル１１Ａからは、所望の温度と噴出量でミストが噴出される。
【０２１１】
そして、入浴前ミストモードでは、全てのミストノズル１１Ａ、本例では４個のミストノズル１１Ａの全てからミストを噴出しているので、ミストの噴出量が最大となる。
【０２１２】
ステップＳＢ２ｂ：主制御部５は、入浴前ミストモードでは、図１２の動作テーブルに従って浴室暖房換気乾燥装置３Ａを制御し、ファン風量が「強」となるようにファンモータ３６を制御すると共に、ヒータ部３３に通電を行う。また、ダンパ４０を循環位置とする。
【０２１３】
これにより、浴室暖房換気乾燥装置３Ａは、浴室１０１内の空気を循環させながら、フロントパネル２６の吹出グリル４６から浴室１０１内に温風を吹き出す。
【０２１４】
そして、入浴前ミストモードでは、ファンユニット３２におけるファン風量を「強」としているので、温風の吹出量が増加する。
【０２１５】
従って、入浴前ミストモードでは、ミスト発生装置２Ａで噴出量を最大としてミストを噴出し、浴室暖房換気乾燥装置３Ａでファン風量を「強」として温風を吹き出すことで、短時間で浴室１０１を中温高湿（温度４０〜４５℃、湿度１００％）のミストサウナ状態とすることができる。
【０２１６】
ステップＳＢ３：主制御部５は、入浴前ミストモードを開始すると、ファンユニット３２の吸込口３８に備えた温度検出センサ６９で浴室１０１の温度を検出する。浴室１０１の温度が所定の入浴前暖房温度の上限値に到達していない場合は、主制御部５は、入浴前ミストモードを続行する。
【０２１７】
ステップＳＢ４ａ：主制御部５は、温度検出センサ６９の出力から浴室１０１の温度が入浴前暖房温度の上限値に到達したと判断すると、運転モードを入浴前ミストモードから入浴中ミストモードに切り替える。
【０２１８】
すなわち、主制御部５は、入浴中ミストモードでは、ヒートポンプ給湯システム４Ａの温圧制御装置５２Ａを制御し、加圧装置６６による加圧量を切り替えて、ミスト操作部７の温度設定ボタン８０で選択された設定温度に応じたミストの噴出量が得られるように、ヒートポンプ給湯器５１Ａから供給される温水の給湯圧を変更する。また、加熱装置６７による加熱を継続する。更に、混合弁６８による給湯側の全開を継続する。なお、ミストを噴出するミストノズル１１Ａの数は変更しなくても良い。
【０２１９】
ここで、主制御部５は、前回のミストモード実行時にミスト操作部７で選択された設定温度の情報を記憶しており、運転モードを入浴中ミストモードに切り替えると、前回運転時の設定温度情報に従ってミストの噴出量を切り替える。
【０２２０】
例えば、前回運転時にミスト操作部７で温度設定ボタン８０の中の「強」ボタン８０ａが押されていると、主制御部５は、入浴前ミストモード時と同じ噴出量でミストノズル１１Ａからのミストの噴出を続ける。
【０２２１】
また、前回運転時にミスト操作部７で「中」ボタン８０ｂが押されていると、主制御部５は、入浴前ミストモード時より噴出量を弱める。
【０２２２】
更に、前回運転時にミスト操作部７で「弱」ボタン８０ｃが押されていると、主制御部５は、「中」ボタン８０ｂが選択された場合より噴出量を弱める。
【０２２３】
ステップＳＢ４ｂ：主制御部５は、入浴中ミストモードでは、図１２の動作テーブルに従って浴室暖房換気乾燥装置３Ａを制御し、ファン風量が「標準」となるようにファンモータ３６を制御すると共に、ヒータ部３３への通電を続行する。また、ダンパ４０は循環位置を保持する。
【０２２４】
これにより、浴室暖房換気乾燥装置３Ａは、浴室１０１内の空気を循環させながら、入浴前ミストモード時より少ないファン風量でフロントパネル２６の吹出グリル４６から温風を吹き出す。
【０２２５】
従って、入浴中ミストモードでは、ミスト発生装置２Ａで噴出するミストの噴出量を、ミスト操作部７の温度設定ボタン８０での選択に応じて切り替え、浴室暖房換気乾燥装置３Ａでファン風量を「標準」として温風を吹き出すことで、温風が直接入浴者に当たらないようにすると共に、浴室１０１内の温度上昇を抑えながら、浴室１０１内をミストサウナ状態に維持することができる。
【０２２６】
ステップＳＢ５：主制御部５は、運転モードを入浴中ミストモードに切り替えると、温度検出センサ６９で浴室１０１の温度を検出する。主制御部５は、ミスト操作部７の温度設定ボタン８０で選択されるミストの噴出量に応じた設定温度毎に浴室１０１内の温度の上限値が設定され、浴室１０１の温度が選択された設定温度の上限値に到達していない場合は、入浴中ミストモードを続行する。
【０２２７】
ステップＳＢ６ａ：主制御部５は、温度センサ６９の出力から、浴室１０１の温度が選択されたミストの噴出量に応じた設定温度の上限値に到達したと判断すると、運転モードを入浴中ミストモードから入浴中ミスト出力低下モードに切り替える。
【０２２８】
すなわち、主制御部５は、入浴中ミスト出力低下モードでは、加圧装置６６による加圧量を低下させ、ミストの噴出量を更に減少させる。
【０２２９】
ステップＳＢ６ｂ：主制御部５は、入浴中ミスト出力低下モードでは、図１２の動作テーブルに従って浴室暖房換気乾燥装置３Ａを制御し、ファンモータ３６を停止すると共に、ヒータ部３３への通電を停止して、浴室暖房換気乾燥装置３Ａの運転を停止する。
【０２３０】
ステップＳＢ７：主制御部５は、運転モードを入浴中ミスト出力低下モードに切り替えると、温度検出センサ６９で浴室１０１の温度を検出する。主制御部５は、ミスト操作部７の温度設定ボタン８０で選択されるミストの噴出量に応じた設定温度毎に浴室１０１内の温度の下限値が設定され、浴室１０１の温度が選択された設定温度の下限値に到達していない場合は、入浴中ミスト出力低下モードを続行する。
【０２３１】
また、主制御部５は、温度センサ６９の出力から、浴室１０１の温度が選択された設定温度の下限値に到達したと判断すると、上述したステップＳＢ４に戻り、運転モードを入浴中ミストモードに切り替える。
【０２３２】
ステップＳＢ８：主制御部５は、入浴中ミストモードの実行中は、ミスト操作部７の出力を監視する。
【０２３３】
ステップＳＢ９：主制御部５は、ミスト操作部７の出力から温度設定ボタン８０が押されたと判断すると、加圧装置６６による加圧量を切り替えて、ミスト操作部７の温度設定ボタン８０で選択された設定温度に応じたミストの噴出量に変更する。なお、浴室暖房換気乾燥装置３Ａは、ファン風量が「標準」となるようにファンモータ３６が制御されると共に、ヒータ部３３への通電が続行される。
【０２３４】
ここで、ミスト操作部７に、温水に変えて水によるミスト噴出をさせる運転モードを選択させる冷水ミストモードボタンを備えても良い。
【０２３５】
ステップＳＢ１０：入浴者は、図示しない冷水ミストモードボタンを押して、冷水ミストモードのスイッチをオンとする。
【０２３６】
ステップＳＢ１１ａ：図示しない冷水ミストモードボタンが押されると、主制御部５は、加圧装置６６による加圧量は変更せず、加熱装置６７による加熱は停止する。また、混合弁６８によりミスト給湯配管６５ａからの給湯は停止し、ミスト給水配管６３ｂからの給水を全開とする。
【０２３７】
ステップＳＢ１１ｂ：主制御部５は、図示しない冷水ミストモードボタンが押されると、浴室暖房換気乾燥装置３Ａを制御し、ファン風量が「標準」となるようにファンモータ３６を制御すると共に、ヒータ部３３への通電を停止する。また、ダンパ４０は循環換気位置とする。
【０２３８】
これにより、浴室暖房換気乾燥装置３Ａは、浴室１０１内の空気を循環させながら、浴室１０１の温度に応じた涼風をフロントパネル２６の吹出グリル４６から吹き出す。
【０２３９】
次に、ミストモードを停止する場合の処理について説明する。ここで、ミストモードの停止は、主操作部６のミストモードボタン７２あるいはミスト操作部７の運転選択ボタン７９を押すことで実行される。
【０２４０】
ステップＳＢ１２ａ−１：入浴者は、主操作部６のミストモードボタン７２を押して、ミストモードのスイッチをオフとする。
【０２４１】
ステップＳＢ１２ａ−２：主制御部５は、主操作部６のミストモードボタン７２が押されると、温圧制御装置５２Ａを制御してミスト発生装置２Ａに供給する温水の加圧及び加熱を停止する。また、供給制御弁装置１２を制御して全てのミストノズル１１Ａへの温水の供給を停止すると共に、ファンモータ１５の回転駆動を停止する。これにより、ミスト発生装置２Ａからのミストの噴出が停止する。
【０２４２】
ステップＳＢ１２ｂ−１：入浴者は、ミスト操作部７の運転選択ボタン７９を押して、ミストモードのスイッチをオフとする。
【０２４３】
ステップＳＢ１２ｂ−２：主制御部５は、ミスト操作部７の運転選択ボタン７９が押されると、温圧制御装置５２Ａを制御してミスト発生装置２Ａに供給する温水の加圧及び加熱を停止する。また、供給制御弁装置１２を制御して全てのミストノズル１１Ａへの温水の供給を停止すると共に、ファンモータ１５の回転駆動を停止する。これにより、ミスト発生装置２Ａからのミストの噴出が停止する。
【０２４４】
ステップＳＢ１２ｂ−３：主制御部５は、ミスト操作部７の運転選択ボタン７９が押されてミスト発生装置２Ａを停止させると、予め設定されている暖房運転時間を計時する。
【０２４５】
ステップＳＢ１３：主制御部５は、主操作部６のミストボタン７２が押されてミスト発生装置２Ａを停止させると、図１２の動作テーブルに従って浴室暖房換気乾燥装置３Ａを制御して、浴室暖房換気乾燥装置３Ａの運転モードをミスト後換気モードに切り替える。
【０２４６】
また、主制御部５は、ミスト操作部７の運転選択ボタン７９が押されてミスト発生装置２Ａを停止させた後、所定の暖房運転時間が経過すると、図１２の動作テーブルに従って浴室暖房換気乾燥装置３Ａを制御して、浴室暖房換気乾燥装置３Ａの運転モードをミスト後換気モードに切り替える。
【０２４７】
すなわち、主制御部５は、ファン風量が「強」となるようにファンモータ３６を制御すると共に、ヒータ部３３の通電を停止する。また、ダンパ４０を循環換気位置とする。
【０２４８】
これにより、浴室暖房換気乾燥装置３Ａは、浴室１０１内の空気を循環させながら、浴室１０１内の空気を屋外に排気する。よって、ミストモードで中温高湿のミストサウナ状態となっている浴室１０１内の湿気を排気して、カビの発生等を防ぐ。
【０２４９】
次に、ミスト後換気モードを停止する場合の処理について説明する。ミスト後換気モードの停止は、予め設定されている換気運転時間が経過した後、自動的に行われる。また、主操作部６の換気モードボタン７４を押すことで実行されるようにしても良い。
【０２５０】
ステップＳＢ１４ａ：主制御部５は、浴室暖房換気乾燥装置３Ａの運転モードをミスト後換気モードに切り替えると、予め設定されている換気運転時間を計時する。
【０２５１】
ステップＳＢ１４ｂ：主制御部５は、浴室暖房換気乾燥装置３Ａの運転モードをミスト後換気モードに切り替えると、主操作部６の出力を監視して、換気モードボタン７４が押されたか否かを判断する。
【０２５２】
ステップＳＢ１５：主制御部５は、浴室暖房換気乾燥装置３Ａの運転モードをミスト後換気モードに切り替えた後、所定の換気運転時間が経過すると、ファンモータ３６を停止してミスト後換気モードを停止する。
【０２５３】
また、主制御部５は、浴室暖房換気乾燥装置３Ａの運転モードをミスト後換気モードに切り替えた後、主操作部６の換気モードボタン７４が押されると、ファンモータ３６を停止してミスト後換気モードを停止する。
【０２５４】
＜ミストモード開始時の捨て水処理例＞
さて、ミストモードを終了して、ミスト発生装置２Ａへの給湯を停止すると、ミスト給湯配管６５ａ及びミスト給湯配管６５ａに接続される供給制御弁装置１２の供給配管３１ａに残った湯は温度が低下する。このため、ミストモードの開始時に、ミスト給湯配管６５ａ及び供給配管３１ａの捨て水を行うミスト噴出準備運転を行う。
【０２５５】
ミスト噴出準備運転は、図１３で説明したステップＳＡ２ａ及び図１４で説明したステップＳＢ２ａにおける入浴前ミストモードの開始時に実行される。すなわち、主制御部５は、入浴前ミストモードを開始すると、図４に示す供給制御弁装置１２において、三方切替電磁弁２９により温水の供給先をドレン配管３１ｂとして、供給切替電磁弁２８を開く。
【０２５６】
これにより、ヒートポンプ給湯システム４Ａから供給される温水は、ミストノズル１１Ａには供給されず、ドレン配管３１ｂから排水される。よって、ミスト給湯配管６５ａ及び供給配管３１ａに残っていた温度の下がった温水は、ミストノズル１１Ａから噴出されることなく排水される。
【０２５７】
主制御部５は、水温検出センサ３１ｃの出力を監視し、供給配管３１ａを流れる温水の温度が所定値（例えば、６０℃）に到達すると、三方切替電磁弁２９による温水の供給先をミストノズル１１Ａ方向に切り替える。これにより、ヒートポンプ給湯システム４Ａからミストノズル１１Ａに温水が供給される。
【０２５８】
入浴前ミストモードでは、本例では全てのミストノズル１１Ａからミストを噴出するため、主制御部５は、個別切替電磁弁３０を制御して、全てのミストノズル１１Ａに温水を供給する。
【０２５９】
なお、図１３で説明したステップＳＡ１０ａ−２，ｂ−２及び図１５で説明したＳＢ１２ａ−２，ｂ−２で、ミスト発生装置２Ａの運転を停止する時は、主制御部５は、三方切替電磁弁２９による温水の供給先をドレン配管３１ｂ方向に切り替え、供給切替電磁弁２８を閉じることで、ミストの噴出を停止する。
【０２６０】
＜ミストノズルの残水排出処理例＞
ミストノズル１１Ａは、穴径がφ０．５〜０．８ｍｍと小さく、ミストモード終了後、ミストノズル１１Ａに接続される配管等に温水が残っていると、残水に含まれる不純物であるカルキがミストノズル１１Ａに溜まり、経年後目詰まりを起す可能性がある。このため、ミストモード終了時に、残水を排出できる機構を備えても良い。
【０２６１】
図１６はミスト発生装置２（２Ａ）に備える残水排出装置の一例を示す構成図である。残水排出装置９１は、図４等で説明した供給制御弁装置１２の下流の供給配管３１ａに、ミストノズル１１Ａに圧縮空気を供給するエアコンプレッサ９２と、ミストノズル１１Ａに温水を供給するか、圧縮空気を供給するかを切り替える三方切替電磁弁９３を備える。
【０２６２】
次に、残水排出装置９１による残水排出運転について説明する。図１３で説明したステップＳＡ１０ａ−２，ｂ−２及び図１５で説明したＳＢ１２ａ−２，ｂ−２で、ミスト発生装置２Ａの運転を停止する時は、供給制御弁装置１２で温水の供給を停止した後、三方切替電磁弁９３によりエアコンプレッサ９２をミストノズル１１Ａに接続する。そして、エアコンプレッサ９２を駆動することで、圧縮空気をミストノズル１１Ａに送る。これにより、ミストノズル１１Ａに残った水分が吹き飛ばされる。従って、ミストノズル１１Ａでの残水が除去されるので、水分中の不純物等による目詰まりを防ぐことが出来る。
【０２６３】
＜浴室暖房システムによる浴室の抗菌処理例＞
ミスト発生装置２（２Ａ）を備えた浴室暖房システム１Ａでミストモードを実行すると、浴室１０１内が中温高湿のミストサウナ状態となる。このため、ミストモード終了時にミスト後換気モードを実行し、浴室１０１内の湿気を排気している。
【０２６４】
但し、浴室１０１の壁や天井に残った水滴によりカビが発生する可能性がある。このため、抗菌効果の得られるイオンを浴室１０１に供給できる機構を備えても良い。
【０２６５】
図１７はミスト発生装置２（２Ａ）に備えるイオン発生装置の一例を示す構成図である。イオン発生装置９４は、供給制御弁装置１２の下流の供給配管３１ａに備えられ、供給配管３１ａを流れる温水に銀イオンあるいはアルカリイオンを供給する。
【０２６６】
次に、イオン発生装置９４によるイオン供給動作について説明する。図１３及び図１４，図１５で説明したミストモード実行時に、ミストノズル１１Ａに供給される温水にイオン発生装置９４で銀イオンあるいはアルカリイオンを供給する。これにより、ミストノズル１１Ａからは、銀イオンあるいはアルカリイオンを含むミストが噴出される。従って、浴室１０１に銀イオンあるいはアルカリイオンを含むミストが吹き出され、銀イオンあるいはアルカリイオンの抗菌効果により、カビの繁殖を防ぐ。
【０２６７】
ここで、浴室暖房システム１Ａでは、浴室暖房換気乾燥装置３Ａに備えたイオン発生器４４を利用して、浴室１０１の抗菌を行っても良い。
【０２６８】
すなわち、図１３で説明したステップＳＡ１１及び図１５で説明したステップＳＢ１３でミスト後換気モードを開始すると、イオン発生器４４で正イオンと負イオンの双方を発生させる。これにより、図５に示す循環風路４３ａを通る空気に正イオンと負イオンの双方が供給され、浴室１０１に略同数の正イオンと負イオンを含む空気が吹き出される。従って、浴室暖房換気乾燥装置３Ａで循環させる空気に含まれる浮遊細菌と、浴室１０１の空気中の浮遊細菌を不活性化して、カビの繁殖を防ぐ。
【０２６９】
なお、ミスト発生装置２（２Ａ）では、図１６で説明した残水排出装置９１と、図１７で説明したイオン発生装置９４の双方を備えても良い。
【０２７０】
＜ミスト発生装置の設置例＞
図１８はミスト発生装置２（２Ａ）の第１の設置例を示す構成図である。ミスト発生装置２と浴室暖房換気乾燥装置３（３Ａ）を連動させる浴室暖房システム１Ａでは、ミスト発生装置２は、浴室１０１の天井パネル１０１ｃに浴室暖房換気乾燥装置３と並べて設置される。
【０２７１】
ミスト発生装置２は、図２，図３で説明した本体ケース１４に取付フランジ部１４ｂを備え、浴室１０１の天井パネル１０１ｃに形成した開口に本体ケース１４を嵌めて、取付フランジ部１４ｂを介してネジ１４ｃで取り付けられる。
【０２７２】
ミスト発生装置２と浴室暖房換気乾燥装置３は、それぞれが独立したフロントパネルを備えても良いが、図２，図３及び図５等で説明したように、ミスト発生装置２と浴室暖房換気乾燥装置３でフロントパネル２６を一体としても良い。ミスト発生装置２と浴室暖房換気乾燥装置３でフロントパネル２６を一体とすれば、浴室１０１の天井パネル１０１ｃには１箇所にフロントパネル２６が設置される形態となるので、デザイン性が向上する。
【０２７３】
図１９はミスト発生装置２（２Ａ）の第２の設置例を示す構成図である。ミスト発生装置２は、浴室１０１の壁面１０１ｄに設置される。ミスト発生装置２を浴室１０１の壁面１０１ｄに設置する場合も、浴室１０１の壁面に形成した開口に本体ケース１４を嵌めて、取付フランジ部１４ｂを介して取付ネジ１４ｃで取り付けられる。
【０２７４】
ミスト発生装置２を浴室１０１の壁面１０１ｄに設置する場合は、ミスト発生装置２のフロントパネル２６ｃと浴室暖房換気乾燥装置３のフロントパネル２６ｄは独立している。
【０２７５】
このように、ミスト発生装置２（２Ａ）は、フロントパネルの変更で、浴室１０１の天井と壁面のどちらにも設置可能な形態であり、施工性が向上する。ここで、ミスト発生装置２を浴室１０１の天井に設置すれば、ミストを天井から浴びる形態とすることができる。
【０２７６】
これに対して、ミスト発生装置２を浴室１０１の壁面に設置すれば、ミストが頭に吹きかかることを防ぐことが出来る。そして、施工時にミスト発生装置２の設置場所を選択可能とすることで、利用者の要望に応じた設置場所にミスト発生装置２を設置することができる。
【０２７７】
＜第１の実施の形態の浴室暖房換気乾燥装置の動作例＞
次に、浴室暖房換気乾燥装置３Ａの単体での動作について説明する。図２０は浴室暖房換気乾燥装置３Ａ単体での動作モードと各部動作の組み合わせのパターンを示す動作テーブルである。
【０２７８】
図２０に示す動作テーブルでは、各運転モード毎に、浴室暖房換気乾燥装置３Ａのファンモータ３６の回転数が、例えば「標準」等に切り替えられるように設定されており、選択された運転モードに応じた風量が得られるようになっている。
【０２７９】
また、ダンパ４０の位置が運転モード毎に設定されている。更に、ヒータ部３３の駆動の有無が運転モード毎に設定されている。ここで、浴室暖房換気乾燥装置３Ａの動作パターンとして図２０に記載のものは一例である。
【０２８０】
暖房モードは、浴室暖房換気乾燥装置３Ａ単体で、浴室１０１の暖房を行う運転モードであり、図９に示す主操作部６で暖房モードボタン７３が押されると、主制御部５は暖房モードが選択されたと判断して、ファンモータ３６とヒータ部３３とダンパモータ４０ｂを駆動する。
【０２８１】
暖房モードでは、ダンパ４０の位置が図５（ａ）に示す循環位置となるように、ダンパモータ４０ｂが制御される。
【０２８２】
また、ファン風量が「標準」となるようにファンモータ３６が制御されて羽根車３５が回転駆動されると、フロントパネル２６の吸込グリル４５を介してファンユニット３２の吸込口３８から浴室１０１の空気が吸い込まれる。
【０２８３】
ダンパ４０の位置が循環位置であると、ファンユニット３２において吸込口３８から吹出口４１への循環風路４３ａが形成されるので、吸込口３８から吸い込まれた空気は、循環風路４３ａを通り吹出口４１からフロントパネル２６の吹出グリル４６を介して浴室１０１内に吹き出される。
【０２８４】
そして、ヒータ部３３は循環風路４３ａの吹出口４１に配置されるので、ヒータ部３３がオンされてヒータ部３３が加熱されると、循環風路４３ａを通る空気が温められて吹出グリル４６から吹き出す。
【０２８５】
これにより、浴室暖房換気乾燥装置３Ａ単体で、浴室１０１内の空気を循環させながら浴室１０１内を暖房することができる。
【０２８６】
換気モードは、浴室暖房換気乾燥装置３Ａ単体で、浴室１０１の換気を行う運転モードであり、図９に示す主操作部６で換気モードボタン７４が押されると、主制御部５は換気モードが選択されたと判断して、ファンモータ３６とダンパモータ４０ｂを駆動する。
【０２８７】
換気モードでは、ダンパ４０の位置が図５（ｂ）に示す換気位置となるように、ダンパモータ４０ｂが制御される。
【０２８８】
また、ファン風量が「標準」となるようにファンモータ３６が制御されて羽根車３５が回転駆動されると、フロントパネル２６の吸込グリル４５を介してファンユニット３２の吸込口３８から浴室１０１の空気が吸い込まれる。
【０２８９】
ダンパ４０の位置が換気位置であると、ファンユニット３２において吸込口３８から排気口４２への換気風路４３ｂが形成されるので、吸込口３８から吸い込まれた空気は、換気風路４３ｂ及び排気口４２を通り、更に、図１に示す排気ダクト８を通って排気グリル８ａから屋外へ排気される。
【０２９０】
これにより、換気モードを実行することで、浴室１０１内の湯気や湿気を排出して結露等を抑制し、カビの発生を抑えることができる。なお、浴室暖房換気乾燥装置３Ａ単体での換気モードでも、上述したミスト後換気モードと同様に、ダンパ４０を循環換気位置として、浴室１０１内の空気を循環させながら、換気を行っても良い。
【０２９１】
乾燥モードは、浴室暖房換気乾燥装置３Ａ単体で、浴室１０１内の衣類等の乾燥を行う運転モードであり、図９に示す主操作部６で乾燥モードボタン７５が押されると、主制御部５は乾燥モードが選択されたと判断して、ファンモータ３６とヒータ部３３とダンパモータ４０ｂを駆動する。
【０２９２】
乾燥モードでは、ダンパ４０の位置が図５（ｃ）に示す循環換気位置となるように、ダンパモータ４０ｂが制御される。
【０２９３】
また、ファン風量が「標準」となるようにファンモータ３６が制御されて羽根車３５が回転駆動されると、フロントパネル２６の吸込グリル４５を介してファンユニット３２の吸込口３８から浴室１０１の空気が吸い込まれる。
【０２９４】
ダンパ４０の位置が循環換気位置であると、ファンユニット３２において吸込口３８から吹出口４１への循環風路４３ａと、吸込口３８から排気口４２への換気風路４３ｂの双方が形成されるので、吸込口３８から吸い込まれた空気は、一部は循環風路４３ａを通り吹出口４１からフロントパネル２６の吹出グリル４６を介して浴室１０１内に吹き出される。そして、ヒータ部３３がオンされてヒータ部３３が加熱されることで、循環風路４３ａを通る空気が温められて吹出グリル４６から温風が吹き出す。
【０２９５】
また、吸込口３８から吸い込まれた空気の一部は、換気風路４３ｂ及び排気口４２を通り、更に、図１に示す排気ダクト８を通って排気グリル８ａから屋外へ排気される。
【０２９６】
これにより、乾燥モードを実行することで、浴室１０１内に温風を吹き出して、衣類等を乾燥させることができる。また、浴室１０１内の湿気等を排出して、衣類の乾燥を促進することができる。
【０２９７】
涼風モードは、浴室暖房換気乾燥装置３Ａ単体で、浴室１０１内に送風を行う運転モードであり、図９に示す主操作部６で涼風モードボタン７６が押されると、制御部５は涼風モードが選択されたと判断して、ファンモータ３６とダンパモータ４０ｂを駆動する。
【０２９８】
涼風モードでは、ダンパ４０の位置が図５（ｃ）に示す循環換気位置となるように、ダンパモータ４０ｂが制御される。
【０２９９】
また、ファン風量が「標準」となるようにファンモータ３６が制御されて羽根車３５が回転駆動されると、フロントパネル２６の吸込グリル４５を介してファンユニット３２の吸込口３８から浴室１０１の空気が吸い込まれる。
【０３００】
ダンパ４０の位置が循環換気位置であると、ファンユニット３２において吸込口３８から吹出口４１への循環風路４３ａと、吸込口３８から排気口４２への換気風路４３ｂの双方が形成されるので、吸込口３８から吸い込まれた空気は、一部は循環風路４３ａを通り吹出口４１からフロントパネル２６の吹出グリル４６を介して浴室１０１内に吹き出される。涼風モードでは、ヒータ部３３は非駆動であるので、浴室１０１の温度に応じた送風が吹出グリル４６から吹き出す。
【０３０１】
また、吸込口３８から吸い込まれた空気の一部は、換気風路４３ｂ及び排気口４２を通り、更に、図１に示す排気ダクト８を通って排気グリル８ａから屋外へ排気される。
【０３０２】
これにより、涼風モードを実行することで、浴室１０１内の空気を循環させながら、浴室１０１内の温度に応じた涼風が吹き出され、浴室暖房換気乾燥装置３Ａを夏季等に扇風機として使用することができる。
【０３０３】
＜第２の実施の形態のミスト発生装置の構成例＞
以上説明した浴室暖房システム１Ａでは、ミスト発生装置２としてプロペラファンによりミストを細霧化する構成を備えたミスト発生装置２Ａを例に説明したが、ミスト発生装置２としてはこれに限るものではない。例えば、網状部材を利用してミストの細霧化を行う構成を備えても良い。
【０３０４】
図２１はミスト発生装置２の第２の実施の形態を示し、次に、第２の実施の形態のミスト発生装置２Ｂの構成について説明する。ここで、図２１（ａ）はミスト発生装置２Ｂを下面側から見た平面図、図２１（ｂ）は図２１（ａ）のＤ−Ｄ線断面図である。
【０３０５】
第２の実施の形態のミスト発生装置２Ｂは、ミストを生成するミストノズル１１Ａと、ミストノズル１１Ａに対する温水または水の供給を切り替える供給制御弁装置１２と、ミストノズル１１Ａで生成したミストを細霧化する網部８１と、ミストノズル１１Ａと網部８１等が取り付けられる本体ケース８２を備える。
【０３０６】
本体ケース８２は、例えば直方体形状の外形を有し、内部に円筒形状のミスト吹出空間８３が形成される。ミストノズル１１Ａはミスト吹出空間８３の上部に配置され、網部８１は、ミストノズル１１Ａに対向して、ミスト吹出空間８３の下部開口部に取り付けられる。
【０３０７】
ミストノズル１１Ａは、ミスト吹出空間８３に複数個配置され、本例では、第１の実施の形態のミスト発生装置２Ａと同様に、４個のミストノズル１１Ａが円周方向に等間隔で配置される。
【０３０８】
ミストノズル１１Ａに対する温水または水の供給の制御は、図４で説明した供給制御弁装置１２で行われ、ミストの噴出の有無及びミストを噴出するミストノズル１１Ａの数の切り替えが行われる。
【０３０９】
網部８１は網上部材の一例で、ミスト吹出空間８３の下部開口部を塞ぐ円形状で、中央部が凸状となり、外周側へ向かって傾斜している円錐形状である。なお、網部８１の網径は、例えば０．２〜０．４ｍｍ程度である。
【０３１０】
本体ケース８２は、網部８１が取り付けられるミスト吹出空間８３の下部に吹出口８３ａが形成される。また、本体ケース８２は、網部８１の周囲の吹出口８３ａにドレンパン８４を備える。ドレンパン８４は、ミスト吹出空間８３の形状に合わせたリング形状で、ミスト吹出空間８３ａの内壁面及び網部８１の外周とつながる溝を有して、網部８１及びミスト吹出空間８３の内壁面を伝わって落ちる水滴を受ける。
【０３１１】
また、ドレンパン８４は、円周方向の１箇所にドレンホース口８４ａを備え、網部８１及びミスト吹出空間８３の内壁面から受けた水をドレンホース口８４ａから排水できる構成である。このため、ドレンパン８４は、ドレンホース口８４ａ側が下がるように傾斜した状態となっている。なお、ドレンパン８４を本体ケース８２に対して着脱自在な構成として、清掃が行えるようにしても良い。
【０３１２】
本体ケース８２は、下部にフロントパネル２６を備える。フロントパネル２６は、ミスト発生装置２Ｂを図１８に示すように浴室１０１の天井に取り付ける形態では、浴室暖房換気乾燥装置３のフロントパネルと一体に構成される。本体ケース８２は、フロントパネル２６を固定するフック部８２ａ等を備えて、フロントパネル２６が着脱自在に取り付けられる。
【０３１３】
フロントパネル２６は、吹出口８３ａと連通し、網部８１で細霧化されたミストを吹き出す吹出グリル２６ａを備える。
【０３１４】
なお、ミスト発生装置２Ｂを図１９に示すように浴室１０１の壁面に取り付ける形態では、独立したフロントパネルを備える。
【０３１５】
ここで、ミスト発生装置２Ｂでも、例えば吹出口８３ａの周囲に補助ミストノズル２７を備え、運転開始段階等で、予備的にミストを吹き出すことができるようにしても良い。また、補助ミストノズル２７を複数備え、水滴径の異なるミストを必要に応じて吹き出す構成としても良い。
【０３１６】
＜第２の実施の形態のミスト発生装置のミスト噴出動作例＞
次に、第２の実施の形態のミスト発生装置２Ｂにおけるミストの噴出動作の一例について説明する。
【０３１７】
ミスト発生装置２Ｂは、図４に示す三方切替電磁弁２９により温水の供給先をミストノズル１１Ａに切り替え、供給切替電磁弁２８を開くと共に、個別切替電磁弁３０を開くと、ミストノズル１１Ａに図１等に示すヒートポンプ給湯システム４から温水が供給される。
【０３１８】
ミストノズル１１Ａに温水が供給されると、ミストノズル１１Ａからミストが噴出される。ミストノズル１１Ａから噴出されたミストは、網部８１を通過することで水滴径が更に細かくなって細霧化される。そして、網部８１で細霧化されたミストは、吹出口８３ａからフロントパネル２６の吹出グリル２６ａを介して浴室１０１内に吹き出される。
【０３１９】
これにより、ミスト発生装置２Ｂを備えた浴室暖房システムで、図１３で説明したミストモードを実行すると、入浴前ミストモードでは、全てのミストノズル１１Ａからミストを噴出することで、ミストの噴出量を最大とすると共に、浴室暖房換気乾燥装置３Ａでファン風量を「強」として温風を吹き出すことで、短時間で浴室１０１を暖房することができる。
【０３２０】
また、入浴中ミストモードでは、ミスト操作部７での選択に応じてミストを噴出するミストノズル１１Ａの数を切り替えることで、ミストの噴出量を増減させ、浴室１０１の温度を調整することができる。
【０３２１】
なお、網部８１に衝突したミストの一部は、網部８１に付着する。網部８１は、中央部が凸状となり、外周側へ向かって傾斜している円錐形状であるので、網部８１に付着した水滴は、傾斜に沿ってドレンパン８４へと流れる。
【０３２２】
また、ミストノズル１１Ａから噴出されたミストの一部は、ミスト吹出空間８３の内壁面に付着する。ミスト吹出空間８３の内壁面に付着した水滴は、ミスト吹出空間８３の内壁面を伝わって落下し、ドレンパン８４へと流れる。
【０３２３】
そして、ドレンパン８４で回収した水は、ドレンホース口８４ａから排水する。なお、ドレンホース口８４ａは、図示しないドレンホースを介して建物外等に繋がっており、ドレンパン８４で回収した水は例えば建物外に排水される。
【０３２４】
以上説明した第２の実施の形態のミスト発生装置２Ｂでは、プロペラファン等の駆動部を備える必要が無いので、構成を簡単にできるとともに、装置の小型化を図ることができ、細霧化されたミストを噴出できるミスト発生装置を低コストで提供することができる。
【０３２５】
＜第３の実施の形態のミスト発生装置の構成例＞
図２２はミスト発生装置２の第３の実施の形態を示し、次に、第３の実施の形態のミスト発生装置２Ｃの構成について説明する。
【０３２６】
第３の実施の形態のミスト発生装置２Ｃは、ミストを生成するミストノズル１１Ｂと、ミストノズル１１Ｂ等が取り付けられる本体ケース１４ｂを備える。ミストノズル１１Ｂは、温水または水の供給を受け、霧状にして吹き出す。ミストノズル１１Ｂは複数個配置され、本例では、第１の実施の形態のミスト発生装置２Ａと同様に、４個のミストノズル１１Ｂが円周方向に等間隔で配置される。なお、ミストノズル１１Ｂの配置としては、この例に限るものではなく、例えば一列に配置しても良い。
【０３２７】
そして、ミストノズル１１Ｂは、ボールジョイント部１１ｃを介して回転自在に支持され、ミストの噴出方向を切替可能な構成である。
【０３２８】
本体ケース１４ｂは、下部にフロントパネル２６ｅを備える。フロントパネル２６ｅは、ミスト発生装置２Ｃを図１８に示すように浴室１０１の天井に取り付ける形態では、浴室暖房換気乾燥装置３のフロントパネルと一体に構成される。なお、ミスト発生装置２Ｃを図１９に示すように浴室１０１の壁面に取り付ける形態では、独立したフロントパネルを備える。
【０３２９】
ミストノズル１１Ｂは、フロントパネル２６ｅから露出する形態で取り付けられ、入浴者がミストノズル１１Ｂを操作して、ミストの噴出方向の切り替えが可能となっている。
【０３３０】
ミストノズル１１Ｂに対する温水の供給の制御は、図４で説明した供給制御弁装置１２で行われ、ミストの噴出の有無及びミストを噴出するミストノズル１１Ｂの数の切り替えが行われる。
【０３３１】
＜第３の実施の形態のミスト発生装置のミスト噴出動作例＞
次に、第３の実施の形態のミスト発生装置２Ｃにおけるミストの噴出動作の一例について説明する。
【０３３２】
ミスト発生装置２Ｃは、図４に示す三方切替電磁弁２９により温水の供給先をミストノズル１１Ｂに切り替え、供給切替電磁弁２８を開くと共に、個別切替電磁弁３０を開くと、ミストノズル１１Ｂに図１等に示すヒートポンプ給湯システム４から温水が供給される。
【０３３３】
ミストノズル１１Ｂに温水が供給されると、ミストノズル１１Ｂからミストが噴出され、浴室１０１内に吹き出される。
【０３３４】
これにより、ミスト発生装置２Ｃを備えた浴室暖房システムで、図１３で説明したミストモードを実行すると、入浴前ミストモードでは、全てのミストノズル１１Ｂからミストを噴出することで、ミストの噴出量を最大とすると共に、浴室暖房換気乾燥装置３Ａでファン風量を「強」として温風を吹き出すことで、短時間で浴室１０１を暖房することができる。
【０３３５】
また、入浴中ミストモードでは、ミスト操作部７での選択に応じてミストを噴出するミストノズル１１Ｂの数を切り替えることで、ミストの噴出量を増減させ、浴室１０１の温度を調整することができる。
【０３３６】
なお、ミストノズル１１Ｂは、ボールジョイント部１１ｃを介して支持されることで、ミストの噴出方向を切替可能な構成であり、入浴者は、ミストノズル１１Ｂを操作して、ミストの噴出方向を所望の方向とすることができる。
【０３３７】
例えば、入浴者に直接ミストが吹きかかるように、ミストの噴出方向を調整することが出来る。また、入浴者に直接ミストが吹きかからないように、ミストの噴出方向を調整することができる。
【０３３８】
以上説明した第３の実施の形態のミスト発生装置２Ｃでは、プロペラファン等の駆動部を備える必要が無いので、構成を簡単にできるとともに、装置の小型化を図ることができる。また、ミストの噴出方向を入浴時等に選択できるので、入浴者の要望に応じてミストを噴出することができる。
【０３３９】
なお、第３の実施の形態のミスト発生装置３Ｃでは、ミストの噴出方向の切替は手動で行うこととしたが、アクチュエータ等を利用して自動で行うこととしても良い。この場合、入浴前ミストモードと入浴中ミストモードでミストの噴出方向を切り替えても良い。
【０３４０】
＜ミストノズルの交換構成例＞
上述した第２の実施の形態のミスト発生装置２Ｂや第３の実施の形態のミスト発生装置２Ｃは、ミストノズル１１Ａあるいはミストノズル１１Ｂの穴径や流路形状を変えることで、ミストの噴出状態を切り替えることができる。例えば、ミストの粒子径や流量を変えたり、ミストの噴出形状を扇型や円錐型に変えることができる。このため、ミストノズル１１（Ａ，Ｂ）を着脱して交換できる機構を備えても良い。
【０３４１】
図２３はノズル交換装置の一例を示す断面図で、図２３（ａ）はミストノズル１１を固定した状態、図２３（ｂ）はミストノズル１１を着脱可能とした状態を示す。
【０３４２】
ノズル交換装置８５は、ミストノズル１１が挿入されるスリーブ８６と、スリーブ８６に挿入されたミストノズル１１を係止する係止爪部８７と、係止爪部８７によるミストノズル１１の係止と係止の解除を行う着脱操作カバー８８を備える。
【０３４３】
スリーブ８６は、ミストノズル１１の挿入部１１ｄが嵌る内径を有すると共に、係止爪部８７を内周面に突出させる開口部８６ａを備える。なお、ミストノズル１１の挿入部１１ｄにはＯリング１１ｅが嵌められて、スリーブ８６との間をシールドしている。
【０３４４】
係止爪部８７は、スリーブ８６の外側に弾性変形可能に取り付けられ、開口部８６ａからスリーブ８７の内周面に突出する。
【０３４５】
着脱操作カバー８８は、係止爪部８７の外側でスリーブ８６に対してスライド移動できるように取り付けられる。着脱操作カバー８８は、バネ８８ａにより付勢されて、図２３（ａ）に示す固定位置で保持される。また、着脱操作カバー８８は、固定位置にあるときに、係止爪部８７に当接する固定保持部８８ｂを内周面に備える。
【０３４６】
次に、ノズル交換装置の動作について説明する。まず、ミストノズル１１がノズル交換装置８５に固定されている状態では、図２３（ａ）に示すように、スリーブ８６にミストノズル１１の挿入部１１ｄが挿入され、係止爪部８７がスリーブ８６の内周面から突出して、ミストノズル１１の挿入部１１ｄに係止している。
【０３４７】
そして、着脱防止カバー８８がバネ８８ａに付勢されて固定位置にあることで、着脱防止カバー８８の固定保持部８８ｂが係止爪部８７に当接して、係止爪部８７の退避を阻止する。
【０３４８】
これにより、係止爪部８７がミストノズル１１の挿入部１１ｄから外れることは無く、ミストノズル１１はノズル交換装置８５に固定される。従って、供給配管３１ａからミストノズル１１に温水が供給されてミストが噴出され、このとき、給湯圧でミストノズル１１が外れることはない。
【０３４９】
ミストノズル１１を取り外す場合は、図２３（ｂ）に示すように、バネ８８ａに抗して着脱防止カバー８８をスライドさせて、着脱防止カバー８８を取り外し位置に移動させる。
【０３５０】
着脱防止カバー８８を取り外し位置に移動させると、着脱防止カバー８８の固定保持部８８ｂが係止爪部８７から外れる。これにより、ミストノズル１１を矢印方向に引っ張ると、ミストノズル１１の挿入部１１ｄに係止爪部８７が押されて、係止爪部８７がスリーブ８６の開口部８６ａに退避する。そして、ミストノズル１１の挿入部１１ｄが係止爪部８７を乗り越えて、ミストノズル１１がスリーブ８６から外れる。
【０３５１】
なお、ミストノズル１１をノズル交換装置８５に取り付ける際には、着脱防止カバー８８を固定位置とし、ミストノズル１１をスリーブ８６に押し込むと、ミストノズル１１の挿入部１１ｄが係止爪部８７を押して弾性変形させ、係止爪部８７をスリーブ８６の開口部８６ａから退避させる。ミストノズル１１の挿入部１１ｄが係止爪部８７を乗り越えると、係止爪部８７の形状が復元し、ミストノズル１１の挿入部１１ｄに係止する。
【０３５２】
このように、ノズル交換装置８５では、着脱防止カバー８８のスライドでミストノズル１１の取り外しが行えると共に、ミストノズル１１を押し込むことで取り付けが行えるので、ミストノズル１１の着脱が容易に行える。
【０３５３】
これにより、ミストの噴出形状や粒子径、流量等の異なる複数種類のミストノズル１１を用意しておき、ミストノズル１１を交換することで、入浴者の嗜好に応じてミストの噴出形状や流量等を変えることができる。また、第１の実施の形態のミスト発生装置２Ａでも、ノズル交換装置８５を備えてミストノズル１１Ａを交換できる構成としておけば、目詰まり等の不具合が発生した場合に、容易にメンテナンスが可能となる。
【０３５４】
図２４はノズル交換装置８５に取り付けられるミストノズルの変形例を示す断面図である。変形例のミストノズル１１′は、ノズル部１１ｆを例えば３分岐した形状であり、１個のミストノズル１１′で３本のミストを噴出可能な構成である。これにより、複数のノズル部１１ｆを一度に交換することが可能となる。
【０３５５】
＜第２の実施の形態のヒートポンプ給湯システムの構成例＞
図２５はヒートポンプ給湯システム４の第２の実施の形態を示し、次に、第２の実施の形態のヒートポンプ給湯システム４Ｂの構成について説明する。ここで、図２５はヒートポンプ給湯システム４Ｂの概要及び接続形態を示す構成図であり、第１の実施の形態のヒートポンプ給湯システム４Ａと同じ構成の要素については同じ番号を付して説明する。
【０３５６】
第２の実施の形態のヒートポンプ給湯システム４Ｂは、図１に示すミスト発生装置２や、浴室１０１等に温水を供給するヒートポンプ給湯器５１Ｂと、ミスト発生装置２に供給する温水の給湯圧を制御する温圧制御装置５２Ｂを備える。
【０３５７】
ヒートポンプ給湯器５１Ｂは、大気と冷媒との間の熱交換及び冷媒と水との間の熱交換で温水を生成するヒートポンプユニット５３と、ヒートポンプユニット５３で生成された温水を貯水する貯湯タンクユニット５４を備える。
【０３５８】
ヒートポンプユニット５３の構成は、第１の実施の形態のヒートポンプ給湯システム４Ａと同じであるので、ここでは説明を省略する。
【０３５９】
貯湯タンクユニット５４は、ヒートポンプユニット５３で生成された温水を貯水するタンク６０を備える。タンク６０は、下部側に水が供給されると共に、上部側に温水が供給されて、下部側に比べて上部側の温度が高くなる層化した状態で温水を貯水する。
【０３６０】
ヒートポンプユニット５３と貯湯タンクユニット５４は、水熱交換器５６とタンク６０の間が温水配管６１ａ及び冷水配管６１ｂで接続され、冷水配管６１ｂにポンプ６１ｃを備える。
【０３６１】
また、貯湯タンクユニット５４は、タンク６０に貯水された温水を取水する取水配管６２と、タンク６０に給水を行う給水配管６３が、タンク６０に接続される。
【０３６２】
更に、貯湯タンクユニット５４は、取水配管６２から供給される温水と、分岐給水配管６３ａから供給される水を混合させる給湯混合弁６４ａを備える。給湯混合弁６４ａは、取水配管６２と分岐給水配管６３ａの合流箇所に備えられ、取水配管６２から供給される温水と、分岐給水配管６３ａから供給される水の混合比を切り替えて、給湯配管６５から供給される温水の温度を調整する。
【０３６３】
給湯配管６５は、図１に示す浴室１０１のシャワー１０１ａや浴槽１０１ｂ、洗面脱衣所１０２の蛇口１０２ａ及び台所１０３の図示しない蛇口等と接続され、温水を供給する。
【０３６４】
貯湯タンクユニット５４は、タンク６０に貯水された温水を取水するミスト取水配管６２ｄを備える。ミスト取水配管６２ｄは、タンク６０の上部に設けられる高温部取水口６０ｆと接続される。
【０３６５】
また、貯湯タンクユニット５４は、ミスト取水配管６２ｄから供給される温水と、分岐給水配管６３ｃから供給される水を混合させる給湯混合弁６４ｂを備える。給湯混合弁６４ｂは、ミスト取水配管６２ｄと分岐給水配管６３ｃの合流箇所に備えられ、ミスト取水配管６２ｄから供給される温水と、分岐給水配管６３ｃから供給される水の混合比を切り替えて、ミスト給湯配管６５ａへ供給される温水の温度を調整する。
【０３６６】
ミスト給湯配管６５ａには温圧制御装置５２Ｂが接続される。温圧制御装置５２Ｂは、ヒートポンプ給湯器５１から供給される温水の給湯圧を上昇させる加圧装置６６を備える。
【０３６７】
また、温圧制御装置５２Ｂは、ミスト給湯配管６５ａから供給される温水と、給水配管６３から分岐したミスト給水配管６３ｂから供給される水を混合させる混合弁６８を備える。混合弁６８は、加圧装置６６の下流側のミスト給湯配管６５ａと、ミスト給水配管６３ｂの合流箇所に備えられ、ミスト給湯配管６５ａから供給される温水と、ミスト給水配管６３ｂから供給される水の混合比を切り替える。
【０３６８】
図１等に示すミスト発生装置２は、混合弁６８の下流側のミスト給湯配管６５ａに接続される。例えば、図４に示す供給配管３１ａに、混合弁６８の下流側のミスト給湯配管６５ａが接続される。
【０３６９】
これにより、加圧装置６６で給湯圧を上昇させた温水がミスト発生装置２（２Ａ）に供給される。
【０３７０】
＜第２の実施の形態のヒートポンプ給湯システムの動作例＞
次に、ヒートポンプ給湯システム４Ｂの動作について説明する。なお、ヒートポンプ給湯システム４Ｂで温水を生成する工程及び浴室１０１等に温水を供給する工程は、第１の実施の形態のヒートポンプ給湯システム４Ａと同じであるので、ここでは説明を省略する。
【０３７１】
ミスト発生装置２に供給される温水は、ミスト取水配管６２ｄによりタンク６０から取水される。ミスト取水配管６２ｄにより取水された温水は、分岐給水配管６３ｃから供給される水と給湯混合弁６４ｂで混合される。給湯混合弁６４ｂで温水と水の混合比を切り替えることで、ミスト給湯配管６５ａから供給される温水の温度が調整される。
【０３７２】
ここで、ミスト取水配管６２ｄ及びミスト給湯配管６５ａは、浴室１０１等に温水を供給する取水配管６２及び給湯配管６５とは独立しているので、浴室１０１等に給湯する温水の給湯温度の制限は受けない。
【０３７３】
ミスト給湯配管６５ａから供給される温水は、温圧制御装置５２Ｂで温度と給湯圧が制御されて、ミスト発生装置２に供給される。すなわち、温圧制御装置５２Ｂは、ミスト給湯配管６５ａに供給された温水の給湯圧を加圧装置６６で上昇させる。これにより、ヒートポンプ給湯器５１から給湯される温水を、ミスト発生装置２でのミストの発生に適した給湯圧に上昇させる。
【０３７４】
また、ミスト給湯配管６５ａから給湯される給湯圧が制御された温水と、ミスト給水配管６３ｂから供給される水を混合弁６８で混合させることで、温水と水の混合比を切り替えて、ミスト発生装置２に給湯する温水の温度が制御される。
【０３７５】
すなわち、ミスト取水配管６２ｄで取水した温水は８５〜９０℃程度の高温であるので、混合弁６８で水と混合させ、ミスト発生装置２からの噴出に適した温度（例えば６０℃程度）に制御される。なお、ミスト給湯配管６５ａ側からの供給を停止して、水のみを供給することも可能である。
【０３７６】
＜第２の実施の形態の浴室暖房システムの全体構成例＞
図２６は第２の実施の形態の浴室暖房システム１Ｂの一例を示す構成図である。第２の実施の形態の浴室暖房システム１Ｂは、ミストを浴室１０１内に噴出するミスト発生装置２と、浴室１０１の暖房及び換気等を行う浴室暖房換気乾燥装置３と、浴室１０１の暖房を行う輻射暖房装置１１１Ａと、ミスト発生装置２や浴室１０１等に温水を給湯するヒートポンプ給湯システム４とを備える。
【０３７７】
浴室暖房システム１Ｂは、ミスト発生装置２の湯源としてヒートポンプ給湯システム４を利用する。また、浴室暖房換気乾燥装置３の熱源として、浴室暖房換気乾燥装置３に内蔵した電気ヒータを利用する。そして、ミスト発生装置２の運転と浴室暖房換気乾燥装置３の運転を連動させることで、浴室１０１内を短時間で中温高湿のミストサウナ状態にすると共に、ミスト発生装置２と輻射暖房装置１１１Ａを連動させて、ミスト発生装置２から噴出されたミストの再加熱を行う。
【０３７８】
ここで、ミスト発生装置２としては、図２等で説明した第１の実施の形態のミスト発生装置２Ａ、図２１で説明した第２の実施の形態のミスト発生装置２Ｂあるいは図２２で説明した第３の実施の形態のミスト発生装置２Ｃのいずれでも良い。
【０３７９】
また、浴室暖房換気乾燥装置３としては、図５で説明した第１の実施の形態の浴室暖房換気乾燥装置３Ａで良い。
【０３８０】
更に、ヒートポンプ給湯システム４としては、図７で説明した第１の実施の形態のヒートポンプ給湯システム４Ａあるいは図２５で説明した第２の実施の形態のヒートポンプ給湯システム４Ｂのいずれでも良い。
【０３８１】
浴室暖房システム１Ｂは、例えば浴室暖房換気乾燥装置３に備えた主制御部５に制御され、主制御部５は、浴室１０１に隣接する洗面脱衣所１０２に設置された主操作部６及び浴室１０１に設置されたミスト操作部７の操作を受けて所定の制御を実行する。
【０３８２】
主操作部６は、例えば主制御部５と電気ケーブル６ａで有線接続されたリモートコントロール装置であり、ミスト操作部７は、主制御部５と赤外線通信で無線接続されたリモートコントロール装置であって、一例として、洗面脱衣所１０２で暖房運転の開始及び停止等の操作が行えると共に、浴室１０１でミストの噴出状態の切り替え等の操作が行える構成である。
【０３８３】
＜第１の実施の形態の輻射暖房装置の構成例＞
図２７は第１の実施の形態の輻射暖房装置１１１Ａの一例を示す構成図で、次に輻射暖房装置１１１Ａの構成について説明する。なお、図２７（ａ）は輻射暖房装置１１１Ａの内部構成を示す側断面図、図２７（ｂ）は輻射暖房装置１１１Ａの内部構成を示す下面断面図である。
【０３８４】
輻射暖房装置１１１Ａは、ヒータ１１２と、ヒータ１１２に送風を行うファン１１３と、ヒータ１１２及びファン１１３等が取り付けられた本体ケース１１４を備える。
【０３８５】
ヒータ１１２は、輻射熱放射手段の一例で、輻射熱を放射する例えば棒状のカーボンヒータである。なお、ヒータ１１２としては、ハロゲンヒータ等の他の輻射式ヒータでも良い。
【０３８６】
ファン１１３は、例えばシロッコファン等で構成され、ファン１１３と接続された送風ダクト１１５がヒータ１１２に沿って延在する。送風ダクト１１５は、長手方向に複数の送風孔１１５ａを備え、ファン１１３からの送風を、ヒータ１１２の長手方向全体に供給する。
【０３８７】
本体ケース１１４は、ヒータ１１２による輻射熱を放射する開口部１１６を備える。開口部１１６には、ヒータ１１２の保護等を行うガード部材１１６ａが取り付けられる。また、本体ケース１１４は、開口部１１６に対向して反射板１１７を備える。反射板１１７は、ヒータ１１２から放射された輻射熱を、開口部１１６方向に反射する。
【０３８８】
輻射暖房装置１１１Ａは、開口部１１６が図２６に示すようにミスト発生装置２から噴出されるミストの流れに対向する向きで、浴室１０１の壁面等に取り付けられる。
【０３８９】
これにより、ミスト発生装置２でミストを噴出した状態で、輻射暖房装置１１１Ａが駆動されると、ヒータ１１２による輻射熱でミストが再加熱される。
【０３９０】
＜第２の実施の形態の浴室暖房システムの動作例＞
次に、図２６及び図２７等を参照して、第２の実施の形態の浴室暖房システム１Ｂの動作について説明する。
【０３９１】
浴室暖房システム１Ｂでは、図９に示す主操作部６のミストモードボタン７２が押されると、主制御部５は、ミストモードが選択されたと判断して、ミストモードとして、まず、入浴前ミストモードを実行する。
【０３９２】
主制御部５は、入浴前ミストモードでは、ミスト発生装置２を制御してミストを噴出させる。ミスト発生装置２には、ヒートポンプ給湯システム４から温水が供給され、例えば、図７に示すヒートポンプ給湯システム４Ａであれば、温圧制御装置５２Ａで給湯圧を上昇させると共に加熱された温水がミスト発生装置２に供給される。
【０３９３】
また、ミスト発生装置２が図２等に示す第１の実施の形態のミスト発生装置２Ａであれば、プロペラファン１６を回転させると共に、全てのミストノズル１１Ａからミストを噴出することで、プロペラファン１６により細霧化されたミストが噴出される。
【０３９４】
主制御部５は、入浴前ミストモードでは、浴室暖房換気乾燥装置３を制御して、温風を吹き出させる。浴室暖房換気乾燥装置３が図５に示す第１の実施の形態の浴室暖房換気乾燥装置３Ａであれば、ファン風量が「強」となるようにファンモータ３６を制御すると共に、ヒータ部３３に通電を行う。また、ダンパ４０を循環位置とする。
【０３９５】
これにより、浴室暖房換気乾燥装置３Ａは、浴室１０１内の空気を循環させながら、浴室１０１内に温風を吹き出す。そして、入浴前ミストモードでは、ファン風量「強」としているので、温風の吹出量が増加する。
【０３９６】
従って、入浴前ミストモードでは、ミスト発生装置２（２Ａ）で噴出量を最大としてミストを噴出し、浴室暖房換気乾燥装置３（３Ａ）でファン風量を「強」として温風を吹き出すことで、短時間で浴室１０１をミストサウナ状態とすることができる。
【０３９７】
主制御部５は、浴室１０１の温度を検出して、浴室１０１の温度が入浴前ミストモード実行時に設定されている入浴前暖房温度の上限値に到達したと判断すると、運転モードを入浴前ミストモードから入浴中ミストモードに切り替える。
【０３９８】
すなわち、主制御部５は、入浴中ミストモードでは、浴室暖房換気乾燥装置３を停止すると共に、輻射暖房装置１１１Ａを制御して、ヒータ１１２に通電を行う。また、主制御部５は、入浴中ミストモードでは、例えば図１０に示すミスト操作部７の温度設定ボタン８０で選択された設定温度に応じた噴出量で、ミスト発生装置２からのミストの噴出を継続する。
【０３９９】
これにより、輻射暖房装置１１１Ａのヒータ１１２による輻射熱で、浴室１０１が暖房されると共に、ミスト発生装置２から噴出されるミストが再加熱されて、浴室１０１がミストサウナ状態を保持する。入浴中ミストモードでは、浴室暖房換気乾燥装置３を停止させているので、温風の吹き出しは停止しており、入浴者に温風があたることはない。これにより、入浴者が寒さを感じることを防止できる。
【０４００】
なお、入浴中ミストモードでは、浴室１０１の温度に応じて、輻射暖房装置１１１Ａのオン・オフの切り替え及びミストの噴出量の切り替えを行って、浴室１０１の温度が、ミスト操作部７の温度設定ボタン８０で選択された設定温度を維持するように制御する。
【０４０１】
主操作部６あるいはミスト操作部７が操作されて、ミストモードの終了が指示されると、主制御部５は、ミスト発生装置２を制御してミストの噴出を停止する。また、輻射暖房装置１１１Ａを制御してヒータ１１２への通電を停止する。更に、主制御部５は、浴室暖房換気乾燥装置３を制御して、上述したミスト後換気モードを実行して、浴室１０１の循環換気を行う。
【０４０２】
これにより、ミストサウナ状態となっている浴室１０１の湿気の排気を行い、ミストモード後のカビの発生を防ぐ。そして、入浴者等の操作あるいはタイマ計時によって、ミスト後換気モードを終了する。
【０４０３】
浴室暖房換気乾燥装置３と輻射暖房装置１１１Ａを備えた浴室暖房システム１Ｂでは、ミスト発生装置２を利用しない暖房モードとして、入浴前暖房モードで浴室暖房換気乾燥装置３による温風の暖房を行い、入浴中暖房モードで浴室暖房換気乾燥装置３を停止して、輻射暖房装置１１１Ａの輻射熱で暖房を行う。
【０４０４】
これにより、入浴前暖房モードでは、短時間で浴室１０１を暖房し、入浴中暖房モードでは、入浴者に風（温風）が当たることを防止できる。
【０４０５】
＜第３の実施の形態の浴室暖房システムの全体構成例＞
図２８は第３の実施の形態の浴室暖房システム１Ｃの一例を示す構成図である。第３の実施の形態の浴室暖房システム１Ｃは、ミストを浴室１０１内に噴出するミスト発生装置２と、輻射暖房装置１１１Ｂを備えて浴室１０１の暖房及び換気等を行う浴室暖房換気乾燥装置３Ｃと、ミスト発生装置２や浴室１０１等に温水を給湯するヒートポンプ給湯システム４とを備える。
【０４０６】
浴室暖房システム１Ｃは、ミスト発生装置２の湯源としてヒートポンプ給湯システム４を利用する。また、浴室暖房換気乾燥装置３Ｃの温風の熱源として、浴室暖房換気乾燥装置３Ｃに内蔵した電気ヒータを利用する。そして、ミスト発生装置２の運転と浴室暖房換気乾燥装置３Ｃの運転を連動させることで、浴室１０１内を短時間で中温高湿のミストサウナ状態にすると共に、ミスト発生装置２と浴室暖房換気乾燥装置３Ｃの輻射暖房装置１１１Ｂを連動させて、ミスト発生装置２から噴出されたミストの再加熱を行う。
【０４０７】
ここで、ミスト発生装置２としては、図２等で説明した第１の実施の形態のミスト発生装置２Ａ、図２１で説明した第２の実施の形態のミスト発生装置２Ｂあるいは図２２で説明した第３の実施の形態のミスト発生装置２Ｃのいずれでも良い。
【０４０８】
また、ヒートポンプ給湯システム４としては、図７で説明した第１の実施の形態のヒートポンプ給湯システム４Ａあるいは図２５で説明した第２の実施の形態のヒートポンプ給湯システム４Ｂのいずれでも良い。
【０４０９】
浴室暖房システム１Ｂは、例えば浴室暖房換気乾燥装置３Ｃに備えた主制御部５に制御され、主制御部５は、浴室１０１に隣接する洗面脱衣所１０２に設置された主操作部６及び浴室１０１に設置されたミスト操作部７の操作を受けて所定の制御を実行する。
【０４１０】
主操作部６は、例えば主制御部５と電気ケーブル６ａで有線接続されたリモートコントロール装置であり、ミスト操作部７は、主制御部５と赤外線通信で無線接続されたリモートコントロール装置であって、一例として、洗面脱衣所１０２で暖房運転の開始及び停止等の操作が行えると共に、浴室１０１でミストの噴出状態の切り替え等の操作が行える構成である。
【０４１１】
＜輻射暖房装置を備えた浴室暖房換気乾燥装置の構成例＞
図２９は輻射暖房装置１１１Ｂを備えた浴室暖房換気乾燥装置３Ｃの一例を示す構成図で、次に、輻射暖房装置１１１Ｂを備えた浴室暖房換気乾燥装置３Ｃの構成について説明する。なお、図２９は、浴室暖房換気乾燥装置３Ｃを下方から見た分解斜視図である。
【０４１２】
浴室暖房換気乾燥装置３Ｃの内部構成は、図５で説明した第１の実施の形態の浴室暖房換気乾燥装置３Ａと同じであり、ファンユニット３２とヒータ部３３を備える。また、図２９では図示しないが、風路を切り替えるダンパ等を備える。
【０４１３】
浴室暖房換気乾燥装置３Ｃは、フロントパネル２６ｆに輻射暖房装置１１１Ｂを備える。輻射暖房装置１１１Ｂは、ヒータ１１８を備える。ヒータ１１８は、輻射熱放射手段の一例で、輻射熱を放射する例えば棒状のカーボンヒータである。なお、ヒータ１１８としては、ハロゲンヒータ等の他の輻射式ヒータでも良い。
【０４１４】
フロントパネル２６ｆは、ヒータ１１８による輻射熱を放射する開口部２６ｇを備える。開口部２６ｇには、ヒータ１１８の保護等を行うガード部材２６ｈが取り付けられる。また、フロントパネル２６ｆは、開口部２６ｇに対向して反射板１１９を備える。反射板１１９は、ヒータ１１８から放射された輻射熱を、開口部２６ｇ方向に反射する。
【０４１５】
フロントパネル２６ｆは、例えば図２８に示すようにミスト発生装置２のフロントパネルと一体に構成しても良いし、図２９に示すように独立した形態でも良い。輻射暖房装置１１１Ｂは、開口部２６ｇがミスト発生装置２から噴出されるミストの流れに対向する向きで取り付けられる。
【０４１６】
これにより、ミスト発生装置２でミストを噴出した状態で、輻射暖房装置１１１Ｂが駆動されると、ヒータ１１８による輻射熱でミストが再加熱される。
【０４１７】
＜第３の実施の形態の浴室暖房システムの動作例＞
次に、図２８及び図２９等を参照して、第３の実施の形態の浴室暖房システム１Ｃの動作について説明する。
【０４１８】
浴室暖房システム１Ｃでは、図９に示す主操作部６のミストモードボタン７２が押されると、主制御部５は、ミストモードが選択されたと判断して、ミストモードとして、まず、入浴前ミストモードを実行する。
【０４１９】
主制御部５は、入浴前ミストモードでは、ミスト発生装置２を制御してミストを噴出させる。ミスト発生装置２には、ヒートポンプ給湯システム４から温水が供給され、例えば、図７に示すヒートポンプ給湯システム４Ａであれば、温圧制御装置５２Ａで給湯圧を上昇させると共に加熱された温水がミスト発生装置２に供給される。
【０４２０】
また、ミスト発生装置２が図２等に示す第１の実施の形態のミスト発生装置２Ａであれば、プロペラファン１６を回転させると共に、全てのミストノズル１１Ａからミストを噴出することで、プロペラファン１６により細霧化されたミストが噴出される。
【０４２１】
主制御部５は、入浴前ミストモードでは、浴室暖房換気乾燥装置３Ｃを制御して、温風を吹き出させる。すなわち、主制御部５は、ファン風量が「強」となるように図５等に示すファンモータ３６を制御すると共に、ヒータ部３３に通電を行う。また、ダンパ４０を循環位置とする。
【０４２２】
これにより、浴室暖房換気乾燥装置３Ｃは、浴室１０１内の空気を循環させながら、浴室１０１内に温風を吹き出す。そして、入浴前ミストモードでは、ファン風量「強」としているので、温風の吹出量が増加する。
【０４２３】
従って、入浴前ミストモードでは、ミスト発生装置２（２Ａ）で噴出量を最大としてミストを噴出し、浴室暖房換気乾燥装置３Ｃでファン風量を「強」として温風を吹き出すことで、短時間で浴室１０１をミストサウナ状態とすることができる。
【０４２４】
主制御部５は、浴室１０１の温度を検出して、浴室１０１の温度が入浴前ミストモード実行時に設定されている入浴前暖房温度の上限値に到達したと判断すると、運転モードを入浴前ミストモードから入浴中ミストモードに切り替える。
【０４２５】
すなわち、主制御部５は、入浴中ミストモードでは、浴室暖房換気乾燥装置３Ｃを制御して、ファンユニット３２及びヒータ部３３を停止すると共に、輻射暖房装置１１１Ｂを制御して、ヒータ１１８に通電を行う。また、主制御部５は、入浴中ミストモードでは、例えば図１０に示すミスト操作部７の温度設定ボタン８０で選択された設定温度に応じた噴出量で、ミスト発生装置２からのミストの噴出を継続する。
【０４２６】
これにより、輻射暖房装置１１１Ｂのヒータ１１８による輻射熱で、浴室１０１が暖房されると共に、ミスト発生装置２から噴出されるミストが再加熱されて、浴室１０１がミストサウナ状態を保持する。入浴中ミストモードでは、浴室暖房換気乾燥装置３のファンユニット３２及びヒータ部３３を停止させているので、温風の吹き出しは停止しており、入浴者に温風があたることはない、これにより、入浴者が寒さを感じることを防止できる。
【０４２７】
なお、入浴中ミストモードでは、浴室１０１の温度に応じて、輻射暖房装置１１１Ｂのオン・オフの切り替え及びミストの噴出量の切り替えを行って、浴室１０１の温度が、ミスト操作部７の温度設定ボタン８０で選択された設定温度を維持するように制御する。
【０４２８】
主操作部６あるいはミスト操作部７が操作されて、ミストモードの終了が指示されると、主制御部５は、ミスト発生装置２を制御してミストの噴出を停止する。また、輻射暖房装置１１１Ｂを制御してヒータ１１８への通電を停止する。更に、主制御部５は、浴室暖房換気乾燥装置３Ｃを制御して、上述したミスト後換気モードを実行して、浴室１０１の循環換気を行う。
【０４２９】
これにより、ミストサウナ状態となっている浴室１０１の湿気の排気を行い、ミストモード後のカビの発生を防ぐ。そして、入浴者等の操作あるいはタイマ計時によって、ミスト後換気モードを終了する。
【０４３０】
輻射暖房装置１１１Ｂを有する浴室暖房換気乾燥装置３Ｃを備えた浴室暖房システム１Ｂでは、浴室暖房換気乾燥装置３Ｃ単体での暖房モードとして、入浴前暖房モードで浴室暖房換気乾燥装置３Ｃによる温風の暖房を行い、入浴中暖房モードで浴室暖房換気乾燥装置３Ｃによる温風の吹き出しを停止して、輻射暖房装置１１１Ｂの輻射熱で暖房を行う。
【０４３１】
これにより、入浴前暖房モードでは、短時間で浴室１０１を暖房し、入浴中暖房モードでは、入浴者に風（温風）が当たることを防止できる。
【０４３２】
＜浴室暖房システムの変形例＞
上述した各実施の形態では、浴室暖房換気乾燥装置３として、１個のファンとダンパを備えて、浴室内の空気の循環と排気を行える構成を例に説明したが、循環用のファンと排気（換気）用のファンを独立して備えた構成でも良い。
【０４３３】
また、温度センサ６９の検出温度によって入浴前ミストモードと入浴中ミストモードを切り替えるようにしたが、浴室１０１外に設けた図示しない浴室照明スイッチと連動させたり、浴室内に設けた人感センサにより入浴者を検出して、入浴前ミストモードから入浴中ミストに切り替えるようにしても良い。更に、主操作部６やミスト操作部７に、入浴前ミストモード、入浴中ミストモードと別々のミストモードスイッチを設けて、入浴前ミストモードと入浴中ミストモードを切り替えるようにしても良い。
【０４３４】
更に、入浴前ミストモード、入浴中ミストモード時にミスト発生装置２と連動する浴室暖房換気乾燥装置３で温風が浴室１０１内に吹き出されるが、ヒータを通電しない送風を吹き出すようにして、温水によるミストを熱源として暖房を行っても良い。
【０４３５】
また、浴室空調装置としての浴室暖房換気乾燥装置３は、換気装置と暖房装置を別々に設けて連動させるようなものであっても良い。さらに、浴室空調装置は、換気機能を有しない暖房装置や送風装置であっても良い。
【産業上の利用可能性】
【０４３６】
本発明は、ミスト発生装置と浴室暖房換気乾燥装置を備えた浴室の暖房システムに適用される。
【図面の簡単な説明】
【０４３７】
【図１】第１の実施の形態の浴室暖房システムの一例を示す構成図である。
【図２】第１の実施の形態のミスト発生装置の一例を示す構成図である。
【図３】第１の実施の形態のミスト発生装置の一例を示す構成図である。
【図４】供給制御弁装置の一例を示す構成図である。
【図５】第１の実施の形態の浴室暖房換気乾燥装置の一例を示す内部構成図である。
【図６】第１の実施の形態の浴室暖房換気乾燥装置を下面側から見た構成図である。
【図７】第１の実施の形態のヒートポンプ給湯システムの一例を示す構成図である。
【図８】第１の実施の形態の浴室暖房システムの制御系の一例を示す機能ブロック図である。
【図９】主操作部の一例を示す構成図である。
【図１０】ミスト操作部の一例を示す構成図である。
【図１１】ミストモード実行時のミスト発生装置の各部の動作の組み合わせのパターンを示す動作テーブルである。
【図１２】ミストモード実行時の浴室暖房換気乾燥装置の各部の動作の組み合わせのパターンを示す動作テーブルである。
【図１３】第１の実施の形態の浴室暖房システムで実行されるミストモードの第１の実施の形態を示すフローチャートである。
【図１４】第１の実施の形態の浴室暖房システムで実行されるミストモードの第２の実施の形態を示すフローチャートである。
【図１５】第１の実施の形態の浴室暖房システムで実行されるミストモードの第２の実施の形態を示すフローチャートである。
【図１６】ミスト発生装置に備える残水排出装置の一例を示す構成図である。
【図１７】ミスト発生装置に備えるイオン発生装置の一例を示す構成図である。
【図１８】ミスト発生装置の第１の設置例を示す構成図である。
【図１９】ミスト発生装置の第２の設置例を示す構成図である。
【図２０】浴室暖房換気乾燥装置単体での動作モードと各部動作の組み合わせのパターンを示す動作テーブルである。
【図２１】第２の実施の形態のミスト発生装置の一例を示す構成図である。
【図２２】第３の実施の形態のミスト発生装置の一例を示す構成図である。
【図２３】ノズル交換装置の一例を示す断面図である。
【図２４】ノズル交換装置に取り付けられるミストノズルの変形例を示す断面図である。
【図２５】第２の実施の形態のヒートポンプ給湯システムの一例を示す構成図である。
【図２６】第２の実施の形態の浴室暖房システムの一例を示す構成図である。
【図２７】第１の実施の形態の輻射暖房装置の一例を示す構成図である。
【図２８】第３の実施の形態の浴室暖房システムの一例を示す構成図である。
【図２９】輻射暖房装置を備えた浴室暖房換気乾燥装置の一例を示す構成図である。
【符号の説明】
【０４３８】
１Ａ，１Ｂ，１Ｃ・・・浴室暖房システム（浴室空調システム）、２Ａ，２Ｂ，２Ｃ・・・ミスト発生装置、３Ａ，３Ｃ・・・浴室暖房換気乾燥装置（浴室空調装置）、４Ａ，４Ｂ・・・ヒートポンプ給湯システム、５・・・主制御部、６・・・主操作部、７・・・ミスト操作部、１１Ａ，１１Ｂ・・・ミストノズル、１２・・・供給制御弁装置、１３・・・軸流ファン部、１６・・・プロペラファン、２６・・・フロントパネル、２８・・・供給切替電磁弁、２９・・・三方切替電磁弁、３０・・・個別切替電磁弁、３１ａ・・・給水配管、３１ｂ・・・ドレン配管、３１ｃ・・・水温検出センサ、３２・・・ファンユニット、３３・・・ヒータ部、４０・・・ダンパ、４４・・・イオン発生器、５１Ａ，５１Ｂ・・・ヒートポンプ給湯器、５２Ａ，５２Ｂ・・・温圧制御装置、５３・・・ヒートポンプユニット、５４・・・貯湯タンクユニット、５５・・・空気熱交換器、５６・・・水熱交換器、５７・・・冷媒配管、５８・・・圧縮機、５９・・・膨張弁、６０・・・タンク、６０ａ・・・流入口、６０ｂ・・・流出口、６０ｃ・・・高温部取水口、６０ｄ・・・中温部取水口、６０ｅ・・・給水口、６０ｆ・・・高温部取水口、６１ａ・・・温水配管、６１ｂ・・・冷水配管、６２・・・取水配管、６２ａ・・・高温部取水配管、６２ｂ・・・中温部取水配管、６２ｄ・・・ミスト取水配管、６３・・・給水配管、６３ａ・・・分岐給水配管、６３ｂ・・・ミスト給水配管、６３ｃ・・・分岐給水配管、６４ａ，６４ｂ・・・給湯混合弁、６５・・・給湯配管、６５ａ・・・ミスト給湯配管、６６・・・加圧装置、６７・・・加熱装置、６８・・・混合弁、６９・・・温度検出センサ、７１・・・表示部、７２・・・ミストモードボタン、７３・・・暖房モードボタン、７４・・・換気モードボタン、７５・・・乾燥モードボタン、７６・・・涼風モードボタン、７７・・・設定ボタン、７８・・・ランプ、７９・・・運転選択ボタン、８０・・・温度設定ボタン、８１・・・網部、１０１・・・浴室、１０２・・・洗面脱衣所、１０３・・・台所、１１１Ａ，１１１Ｂ・・・輻射暖房装置
【図１】
2006322694.tif 000003
【図２】
2006322694.tif 000004
【図３】
2006322694.tif 000005
【図４】
2006322694.tif 000006
【図５】
2006322694.tif 000007
【図６】
2006322694.tif 000008
【図７】
2006322694.tif 000009
【図８】
2006322694.tif 000010
【図９】
2006322694.tif 000011
【図１０】
2006322694.tif 000012
【図１１】
2006322694.tif 000013
【図１２】
2006322694.tif 000014
【図１３】
2006322694.tif 000015
【図１４】
2006322694.tif 000016
【図１５】
2006322694.tif 000017
【図１６】
2006322694.tif 000018
【図１７】
2006322694.tif 000019
【図１８】
2006322694.tif 000020
【図１９】
2006322694.tif 000021
【図２０】
2006322694.tif 000022
【図２１】
2006322694.tif 000023
【図２２】
2006322694.tif 000024
【図２３】
2006322694.tif 000025
【図２４】
2006322694.tif 000026
【図２５】
2006322694.tif 000027
【図２６】
2006322694.tif 000028
【図２７】
2006322694.tif 000029
【図２８】
2006322694.tif 000030
【図２９】
2006322694.tif 000031